(57)【特許請求の範囲】
【請求項１】
画像又は音の少なくとも一方を表す符号化された実体情報の記録領域が確保されると共に、該記録領域及び該記録領域に実体情報が記録された場合の該実体情報を管理する実体管理情報と、該実体管理情報を管理するメニュー管理情報とが記録され、前記記録領域及び前記記録領域に実体情報が記録された場合の該実体情報を複数のタイトル毎に管理するように論理構造化された書き換え可能な情報記録媒体であって、
前記メニュー管理情報には、予め定められたタイトル数分の前記実体管理情報を管理する情報が記録され、
前記実体管理情報は、前記予め定められたタイトル数分記録されると共に、各タイトル毎の実体管理情報には、予め定められたサイズを備え予め定められた数の前記記録領域を所定の論理単位毎に管理する情報が記録され、
前記記録領域は、前記論理単位毎に、予め定められたサイズを備え予め定められた数分確保されており、
該記録領域のうち、前記実体情報が記録された１の前記記録領域と、前記実体情報が記録された他の前記記録領域との間の記録領域は、後から前記実体情報を記録可能なように前記実体情報が記録されていない記録領域であることを特徴とする情報記録媒体。
【請求項２】
前記メニュー管理情報及び実体管理情報には、前記タイトルまたはタイトル下の前記論理単位を選択する選択情報が、前記記録領域における実体情報の記録の有無に拘わらず予め記録されていることを特徴とする請求項１記載の情報記録媒体。
【請求項３】
前記実体管理情報の記録領域は、予め定められた初期タイトル数分及び予備タイトル数分確保されており、初期タイトル数に対応して確保された実体管理情報の記録領域には、予め定められたサイズを備え予め定められた数の前記実体情報の記録領域を、初期論理単位数分の論理単位毎に管理する情報が記録されており、前記予備タイトル数に対応して確保された実体管理情報の記録領域には、予め定められたサイズを備え予め定められた数の前記実体情報の記録領域を、予備論理単位数分の論理単位毎に管理する情報を記録する為の記録領域として確保されていることを特徴とする請求項１記載の情報記録媒体。
【請求項４】
前記各情報及び記録領域を、前記情報記録媒体以外の記憶手段上に記憶あるいは確保することにより、請求項１記載の情報記録媒体を作成するための情報を作成する方法であって、
タイトル毎の管理を行う為のシナリオ情報と、前記論理単位毎に管理される前記実体情報の記録領域のサイズと数の情報とを入力する工程と、
前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する工程と、
前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する工程と、
前記実体情報の記録領域のサイズと数の情報と、前記論理単位数の情報とに基づいて、前記実体情報の記録領域を前記記憶手段上に確保する工程と、
前記実体管理情報の記録領域の確保後に、前記実体管理情報を管理する情報を、前記メニュー管理情報の記録領域に記録する工程と、
前記実体情報の記録領域を確保後に、前記実体情報の記録領域を管理する情報を前記実体管理情報の記録領域に記録する工程と、
前記実体情報の記録領域を確保後に、該記録領域のうち、１の前記記録領域と、他の前記記録領域に前記実体情報を記録し、かつ当該１の記録領域と当該他の記録領域との間の記録領域には、後から前記実体情報を記録可能なように前記実体情報を記録せずに予約領域として確保する工程と、
を備えたことを特徴とする情報記録媒体を作成するための情報の作成方法。
【請求項５】
前記実体管理情報を管理する情報あるいは前記実体情報の記録領域を管理する情報を、前記記録領域に記録する工程は、前記タイトルまたはタイトル下の前記論理単位を選択する選択情報を、前記管理する情報に含んで記録する工程とを備えたことを特徴とする請求項４記載の情報記録媒体を作成するための情報の作成方法。
【請求項６】
タイトル毎の管理を行う為のシナリオ情報を入力する工程は、初期タイトル数及び予備タイトル数と、初期論理単位数及び前記予備タイトル数に対する予備論理単位数とを前記タイトルの構成情報内に含むシナリオ情報を入力する工程であり、
メニュー管理情報の記録領域を前記記憶手段上に確保する工程は、前記タイトルの構成情報に含まれる初期タイトル数及び予備タイトル数の情報に基づいて、前記実体管理情報を管理する情報を当該初期タイトル数分及び予備タイトル数分記録するための記録領域を、メニュー管理情報の記録領域として前記記憶手段上に確保する工程であり、
前記実体管理情報の記録領域を前記記憶手段上に確保する工程は、前記タイトルの構成情報に含まれる初期論理単位数及び予備論理単位数の情報に基づいて、前記実体情報の記録領域を管理する情報を当該初期論理単位数分及び予備論理単位数分記録するための記録領域を、前記実体管理情報の記録領域として前記記憶手段上に確保する工程であり、
前記実体情報の記録領域を前記記憶手段上に確保する工程は、前記実体情報の記録領域のサイズと数の情報と、前記初期論理単位数及び予備論理単位数の情報とに基づいて、前記実体情報の記録領域を前記記憶手段上に確保する工程であり、
前記メニュー管理情報の記録領域に前記実体管理情報を管理する情報を記録する工程は、前記実体管理情報の記録領域の確保後に、前記メニュー管理情報の記録領域のうち、前記初期タイトル数に対応して確保された記録領域のみについて、前記情報を記録する工程であり、
前記実体管理情報の記録領域に前記実体情報の記録領域を管理する情報を記録する工程は、前記実体情報の記録領域を確保後に、前記実体管理情報の記録領域のうち、前記初期論理単位数に対応して確保された記録領域のみについて、前記情報を記録する工程である、
ことを特徴とする請求項４記載の情報記録媒体を作成するための情報の作成方法。
【請求項７】
記憶手段を備え、前記各情報及び記録領域を、前記情報記録媒体以外の前記記憶手段上に記憶あるいは確保することにより、請求項１記載の情報記録媒体を作成するための情報の作成装置であって、
タイトル毎の管理を行う為のシナリオ情報と、前記論理単位毎に管理される前記実体情報の記録領域のサイズと数の情報とを入力する情報入力手段と、
前記シナリオ情報内の前記タイトルの構成情報に含まれるタイトル数の情報に基づいて、前記実体管理情報を管理する情報を当該タイトル数分記録するための記録領域を、メニュー管理情報の記録領域として、又、前記タイトルの構成情報に含まれる前記論理単位数の情報に基づいて、前記実体情報の記録領域を管理する情報を当該論理単位数記録するための記録領域を、前記実体管理情報の記録領域として、更に、前記実体情報の記録領域のサイズと数の情報と、前記論理単位数の情報とに基づいて、前記実体情報の記録領域を、それぞれ前記記憶手段上に確保する記録領域確保手段と、
前記実体管理情報の記録領域の確保後に、前記実体管理情報を管理する情報を、前記メニュー管理情報の記録領域に記録すると共に、前記実体情報の記録領域を確保後に、前記実体情報の記録領域を管理する情報を前記実体管理情報の記録領域に記録する情報記録手段と、
前記実体情報の記録領域を確保後に、該記録領域のうち、１の前記記録領域と、他の前記記録領域に前記実体情報を記録し、かつ当該１の記録領域と当該他の記録領域との間の記録領域には、後から前記実体情報を記録可能なように前記実体情報を記録せずに予約領域として確保する手段と、
を備えたことを特徴とする情報記録媒体を作成するための情報の作成装置。
【請求項８】
前記情報記録手段は、前記タイトルまたはタイトル下の前記論理単位を選択する選択情報を、前記管理する情報に含んで記録する手段であることを特徴とする請求項７記載の情報記録媒体を作成するための情報の作成装置。
【請求項９】
前記情報入力手段は、初期タイトル数及び予備タイトル数と、初期論理単位数及び前記予備タイトル数に対する予備論理単位数とを前記タイトルの構成情報内に含むシナリオ情報を入力する手段であり、
前記記録領域確保手段は、前記タイトルの構成情報に含まれる初期タイトル数及び予備タイトル数の情報に基づいて、前記実体管理情報を管理する情報を当該初期タイトル数分及び予備タイトル数分記録するための記録領域を、メニュー管理情報の記録領域として、又、前記タイトルの構成情報に含まれる初期論理単位数及び予備論理単位数の情報に基づいて、前記実体情報の記録領域を管理する情報を当該初期論理単位数分及び予備論理単位数分記録するための記録領域を、前記実体管理情報の記録領域として、更に、前記実体情報の記録領域のサイズと数の情報と、前記初期論理単位数及び予備論理単位数の情報とに基づいて、前記実体情報の記録領域を、それぞれ前記記憶手段上に確保する手段であり、
前記情報記録手段は、前記実体管理情報の記録領域の確保後に、前記メニュー管理情報の記録領域のうち、前記初期タイトル数に対応して確保された記録領域のみについて、前記情報を記録し、又、前記実体情報の記録領域を確保後に、前記実体管理情報の記録領域のうち、前記初期論理単位数に対応して確保された記録領域のみについて、前記情報を記録する手段である、
ことを特徴とする請求項７記載の情報記録媒体を作成するための情報の作成装置。
【請求項１０】
前記各情報及び記録領域をコンピュータの記憶手段上に記憶あるいは確保させる工程をコンピュータに実行させることにより、請求項１記載の情報記録媒体を作成するための情報を作成するプログラムが記録されたコンピュータ読み取り可能な情報記録媒体であって、前記コンピュータに、
タイトル毎の管理を行う為のシナリオ情報と、前記論理単位毎に管理される前記実体情報の記録領域のサイズと数の情報とを入力する工程と、
前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する工程と、
前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する工程と、
前記実体情報の記録領域のサイズと数の情報と、前記論理単位数の情報とに基づいて、前記実体情報の記録領域を前記記憶手段上に確保する工程と、
前記実体管理情報の記録領域の確保後に、前記実体管理情報を管理する情報を、前記メニュー管理情報の記録領域に記録する工程と、
前記実体情報の記録領域を確保後に、前記実体情報の記録領域を管理する情報を前記実体管理情報の記録領域に記録する工程と、
前記実体情報の記録領域を確保後に、該記録領域のうち、１の前記記録領域と、他の前記記録領域に前記実体情報を記録し、かつ当該１の記録領域と当該他の記録領域との間の記録領域には、後から前記実体情報を記録可能なように前記実体情報を記録せずに予約領域として確保する工程と、
を前記コンピュータに実行させるプログラムが記録されたことを特徴とする情報記録媒体。
【請求項１１】
前記コンピュータに、前記実体管理情報を管理する情報あるいは前記実体情報の記録領域を管理する情報を、前記記録領域に記録する工程として、前記タイトルまたはタイトル下の前記論理単位を選択する選択情報を、前記管理する情報に含んで記録する工程を実行させるプログラムが記録されたことを特徴とする請求項１０記載の情報記録媒体。
【請求項１２】
前記コンピュータに、タイトル毎の管理を行う為のシナリオ情報を入力する工程として、初期タイトル数及び予備タイトル数と、初期論理単位数及び前記予備タイトル数に対する予備論理単位数とを前記タイトルの構成情報内に含むシナリオ情報を入力する工程を、
メニュー管理情報の記録領域を前記記憶手段上に確保する工程として、前記タイトルの構成情報に含まれる初期タイトル数及び予備タイトル数の情報に基づいて、前記実体管理情報を管理する情報を当該初期タイトル数分及び予備タイトル数分記録するための記録領域を、メニュー管理情報の記録領域として前記記憶手段上に確保する工程を、
前記実体管理情報の記録領域を前記記憶手段上に確保する工程として、前記タイトルの構成情報に含まれる初期論理単位数及び予備論理単位数の情報に基づいて、前記実体情報の記録領域を管理する情報を当該初期論理単位数分及び予備論理単位数分記録するための記録領域を、前記実体管理情報の記録領域として前記記憶手段上に確保する工程を、
前記実体情報の記録領域を前記記憶手段上に確保する工程として、前記実体情報の記録領域のサイズと数の情報と、前記初期論理単位数及び予備論理単位数の情報とに基づいて、前記実体情報の記録領域を前記記憶手段上に確保する工程を、
前記メニュー管理情報の記録領域に前記実体管理情報を管理する情報を記録する工程として、前記実体管理情報の記録領域の確保後に、前記メニュー管理情報の記録領域のうち、前記初期タイトル数に対応して確保された記録領域のみについて、前記情報を記録する工程を、
前記実体管理情報の記録領域に前記実体情報の記録領域を管理する情報を記録する工程として、前記実体情報の記録領域を確保後に、前記実体管理情報の記録領域のうち、前記初期論理単位数に対応して確保された記録領域のみについて、前記情報を記録する工程を、
それぞれ実行させるプログラムが記録されたことを特徴とする請求項１０記載の情報記録媒体。
【請求項１３】
前記各情報及び記録領域を、前記情報記録媒体以外の記憶手段上に記憶あるいは確保し、当該記憶した各情報に基づいて請求項１記載の情報記録媒体を作成する方法であって、
請求項４記載の情報の作成方法により前記記憶手段上に作成された前記情報を出力する工程と、
前記出力された情報を、所定の記録形式に変換する工程と、
前記変換された情報に基づいて光ビームを変調し前記情報記録媒体上に情報の記録を行う工程と、
を備えたことを特徴とする情報記録媒体の作成方法。
【請求項１４】
前記各情報及び記録領域を、前記情報記録媒体以外の記憶手段上に記憶あるいは確保し、当該記憶した各情報に基づいて請求項１記載の情報記録媒体を作成する方法であって、
請求項５記載の情報の作成方法により前記記憶手段上に作成された前記情報を出力する工程と、
前記出力された情報を、所定の記録形式に変換する工程と、
前記変換された情報に基づいて光ビームを変調し前記情報記録媒体上に情報の記録を行う工程と、
を備えたことを特徴とする情報記録媒体の作成方法。
【請求項１５】
前記各情報及び記録領域を、前記情報記録媒体以外の記憶手段上に記憶あるいは確保し、当該記憶した各情報に基づいて請求項１記載の情報記録媒体を作成する方法であって、
請求項６記載の情報の作成方法により前記記憶手段上に作成された前記情報を出力する工程と、
前記出力された情報を、所定の記録形式に変換する工程と、
前記変換された情報に基づいて光ビームを変調し前記情報記録媒体上に情報の記録を行う工程と、
を備えたことを特徴とする情報記録媒体の作成方法。
【請求項１６】
前記各情報及び記録領域を、前記情報記録媒体以外の記憶手段上に記憶あるいは確保し、当該記憶した各情報に基づいて請求項１記載の情報記録媒体を作成する装置であって、
請求項７記載の情報の作成装置により前記記憶手段上に作成された前記情報を出力する情報出力手段と、
前記情報出力手段から出力された情報を、所定の記録形式に変換する変換手段と、
前記変換手段により変換された情報に基づいて光ビームを変調し前記情報記録媒体上に情報の記録を行う記録手段と、
を備えたことを特徴とする情報記録媒体の作成装置。
【請求項１７】
前記各情報及び記録領域を、前記情報記録媒体以外の記憶手段上に記憶あるいは確保し、当該記憶した各情報に基づいて請求項１記載の情報記録媒体を作成する装置であって、
請求項８記載の情報の作成装置により前記記憶手段上に作成された前記情報を出力する情報出力手段と、
前記情報出力手段から出力された情報を、所定の記録形式に変換する変換手段と、
前記変換手段により変換された情報に基づいて光ビームを変調し前記情報記録媒体上に情報の記録を行う記録手段と、
を備えたことを特徴とする情報記録媒体の作成装置。
【請求項１８】
前記各情報及び記録領域を、前記情報記録媒体以外の記憶手段上に記憶あるいは確保し、当該記憶した各情報に基づいて請求項１記載の情報記録媒体を作成する装置であって、
請求項９記載の情報の作成装置により前記記憶手段上に作成された前記情報を出力する情報出力手段と、
前記情報出力手段から出力された情報を、所定の記録形式に変換する変換手段と、
前記変換手段により変換された情報に基づいて光ビームを変調し前記情報記録媒体上に情報の記録を行う記録手段と、
を備えたことを特徴とする情報記録媒体の作成装置。
【請求項１９】
コンピュータに、前記各情報及び記録領域を、前記情報記録媒体以外の記憶手段上に記憶あるいは確保させ、当該記憶した各情報に基づいて請求項１記載の情報記録媒体を作成させるプログラムが記録されたコンピュータ読み取り可能な情報記録媒体であって、前記コンピュータに、
請求項４記載の情報の作成方法により前記記憶手段上に作成された前記情報を出力する工程と、
前記出力された情報を、所定の記録形式に変換する工程と、
前記変換された情報に基づいて光ビームを変調し前記情報記録媒体上に情報の記録を行う工程と、
を実行させるプログラムが記録されたことを特徴とする情報記録媒体。
【請求項２０】
コンピュータに、前記各情報及び記録領域を、前記情報記録媒体以外の記憶手段上に記憶あるいは確保させ、当該記憶した各情報に基づいて請求項１記載の情報記録媒体を作成させるプログラムが記録されたコンピュータ読み取り可能な情報記録媒体であって、前記コンピュータに、
請求項５記載の情報の作成方法により前記記憶手段上に作成された前記情報を出力する工程と、
前記出力された情報を、所定の記録形式に変換する工程と、
前記変換された情報に基づいて光ビームを変調し前記情報記録媒体上に情報の記録を行う工程と、
を実行させるプログラムが記録されたことを特徴とする情報記録媒体。
【請求項２１】
コンピュータに、前記各情報及び記録領域を、前記情報記録媒体以外の記憶手段上に記憶あるいは確保させ、当該記憶した各情報に基づいて請求項１記載の情報記録媒体を作成させるプログラムが記録されたコンピュータ読み取り可能な情報記録媒体であって、前記コンピュータに、
請求項６記載の情報の作成方法により前記記憶手段上に作成された前記情報を出力する工程と、
前記出力された情報を、所定の記録形式に変換する工程と、
前記変換された情報に基づいて光ビームを変調し前記情報記録媒体上に情報の記録を行う工程と、
を実行させるプログラムが記録されたことを特徴とする情報記録媒体。
【請求項２２】
請求項１または２記載の情報記録媒体を使用して画像情報又は音情報が記録された情報記録媒体を作成する方法であって、
請求項１または２記載の論理構造を有する情報記録媒体を、タイトル数と、タイトル毎の前記論理単位の数と、該論理単位の階層数と、該階層のパターンとの何れか一つが異なる複数種類分用意する工程と、
前記複数種類の情報記録媒体の中から、記録しようとする複数の実体情報間の相関関係に適合する論理構造パターンを備えた一つの情報記録媒体を選択する工程と、
記録しようとする実体情報を符号化する工程と、
選択した情報記録媒体から、前記メニュー管理情報及び実体情報管理情報の内容を読み取る工程と、
読み取った内容に基づいて、前記実体情報の記録領域に、前記符号化された実体情報を記録する工程と、
を備えたことを特徴とする情報記録媒体の作成方法。
【請求項２３】
請求項３記載の情報記録媒体を使用して画像情報又は音情報が記録された情報記録媒体を作成する方法であって、
請求項３記載の論理構造を有する情報記録媒体を、タイトル数と、タイトル毎の前記論理単位の数と、該論理単位の階層数と、該階層のパターンとの何れか一つが異なる複数種類分用意する工程と、
前記複数種類の情報記録媒体の中から、記録しようとする複数の実体情報間の相関関係に適合する論理構造パターンを備えた一つの情報記録媒体を選択する工程と、
記録しようとする実体情報を符号化する工程と、
選択した情報記録媒体から、初期タイトル数及び初期論理単位数に対応した前記メニュー管理情報及び実体情報管理情報の内容を読み取る工程と、
読み取った内容に基づいて、前記実体情報の記録領域に、前記符号化された実体情報を記録する工程と、
を備えたことを特徴とする情報記録媒体の作成方法。
【請求項２４】
既に画像情報又は音情報が記録された請求項１または２記載の情報記録媒体に、新たな画像情報又は音情報を記録して情報記録媒体を作成する方法であって、
記録しようとする実体情報を符号化する工程と、
既に画像情報又は音情報が記録された請求項１記載の情報記録媒体から、前記メニュー管理情報及び実体情報管理情報の内容を読み取る工程と、
読み取った内容に基づいて、前記実体情報の記録領域に、前記符号化された実体情報を記録する工程と、
を備えたことを特徴とする情報記録媒体の作成方法。
【請求項２５】
既に画像情報又は音情報が記録された請求項３記載の情報記録媒体に、新たな画像情報又は音情報を記録して情報記録媒体を作成する方法であって、
前記既に画像情報又は音情報が記録された請求項３記載の情報記録媒体における予備タイトル数と、予備論理単位数と、前記実体情報の記録領域の空き領域を読み取る工程と、
タイトル毎の管理を行う為のシナリオ情報を、前記読み取った予備タイトル数及び予備論理単位数の範囲内で入力する工程と、
前記シナリオ情報内の前記タイトルの構成情報から得られるタイトル数に基づいて、前記実体管理情報を管理する情報を当該タイトル数分記録するための記録領域を、新たなメニュー管理情報の記録領域として、前記予備タイトル数分の記録領域内に確保する工程と、
前記タイトルの構成情報に含まれる前記論理単位数の情報に基づいて、前記実体情報の記録領域を管理する情報を当該論理単位数分記録するための記録領域を、新たな実体管理情報の記録領域として、前記予備論理単位数分の記録領域内に確保する工程と、
前記実体情報の記録領域のサイズと数の情報と、前記論理単位数の情報とに基づいて、新たな実体情報の記録領域を前記記憶手段上に確保する工程と、
前記実体管理情報の記録領域の確保後に、前記実体管理情報を管理する情報を、前記新たなメニュー管理情報の記録領域に記録する工程と、
前記実体情報の記録領域を確保後に、前記実体情報の記録領域を管理する情報を前記新たな実体管理情報の記録領域に記録する工程と、
記録しようとする実体情報を符号化する工程と、
前記新たな実体情報の記録領域に、前記符号化された実体情報を記録する工程と、
を備えたことを特徴とする情報記録媒体の作成方法。
【請求項２６】
既に画像情報又は音情報が記録された請求項１または２記載の情報記録媒体に、新たな画像情報又は音情報を記録して情報記録媒体を作成する装置であって、
記録しようとする実体情報を符号化する符号化手段と、
既に画像情報又は音情報が記録された請求項１記載の情報記録媒体から、前記メニュー管理情報及び実体情報管理情報の内容を読み取る読取手段と、
読み取った内容に基づいて、前記実体情報の記録領域に、前記符号化された実体情報を記録する記録手段と、
を備えたことを特徴とする情報記録媒体の作成装置。
【請求項２７】
既に画像情報又は音情報が記録された請求項３記載の情報記録媒体に、新たな画像情報又は音情報を記録して情報記録媒体を作成する装置であって、
前記既に画像情報又は音情報が記録された請求項３記載の情報記録媒体における予備タイトル数と、予備論理単位数と、前記実体情報の記録領域の空き領域を読み取る読取手段と、
タイトル毎の管理を行う為のシナリオ情報を、前記読み取った予備タイトル数及び予備論理単位数の範囲内で入力する入力手段と、
前記シナリオ情報内の前記タイトルの構成情報から得られるタイトル数に基づいて、前記実体管理情報を管理する情報を当該タイトル数分記録するための記録領域を、新たなメニュー管理情報の記録領域として、前記予備タイトル数分の記録領域内に確保し、又、前記タイトルの構成情報に含まれる前記論理単位数の情報に基づいて、前記実体情報の記録領域を管理する情報を当該論理単位数分記録するための記録領域を、新たな実体管理情報の記録領域として、前記予備論理単位数分の記録領域内に確保し、更に、前記実体情報の記録領域のサイズと数の情報と、前記論理単位数の情報とに基づいて、新たな実体情報の記録領域とする記録領域確保手段と、
前記実体管理情報の記録領域の確保後に、前記実体管理情報を管理する情報を、前記新たなメニュー管理情報の記録領域に記録し、又、前記実体情報の記録領域を確保後に、前記実体情報の記録領域を管理する情報を前記新たな実体管理情報の記録領域に記録する記録手段と、
記録しようとする実体情報を符号化する符号化手段と、
前記新たな実体情報の記録領域に、前記符号化された実体情報を記録する記録手段と、
を備えたことを特徴とする情報記録媒体の作成装置。
【請求項２８】
コンピュータに、既に画像情報又は音情報が記録された請求項１または２記載の情報記録媒体へ、新たな画像情報又は音情報を記録させる情報記録媒体の作成プロマグラムが記録されたコンピュータ読み取り可能な情報記録媒体であって、前記コンピュータに、
記録しようとする実体情報を符号化する工程と、
既に画像情報又は音情報が記録された請求項１記載の情報記録媒体から、前記メニュー管理情報及び実体情報管理情報の内容を読み取る工程と、
読み取った内容に基づいて、前記実体情報の記録領域に、前記符号化された実体情報を記録する工程と、
を実行させるプログラムが記録されたことを特徴とする情報記録媒体。
【請求項２９】
コンピュータに、既に画像情報又は音情報が記録された請求項３記載の情報記録媒体へ、新たな画像情報又は音情報を記録させる情報記録媒体の作成プログラムが記録されたコンピュータ読み取り可能な情報記録媒体で法であって、前記コンピュータに、
前記既に画像情報又は音情報が記録された請求項３記載の情報記録媒体における予備タイトル数と、予備論理単位数と、前記実体情報の記録領域の空き領域を読み取る工程と、
タイトル毎の管理を行う為のシナリオ情報を、前記読み取った予備タイトル数及び予備論理単位数の範囲内で入力する工程と、
前記シナリオ情報内の前記タイトルの構成情報から得られるタイトル数に基づいて、前記実体管理情報を管理する情報を当該タイトル数分記録するための記録領域を、新たなメニュー管理情報の記録領域として、前記予備タイトル数分の記録領域内に確保する工程と、
前記タイトルの構成情報に含まれる前記論理単位数の情報に基づいて、前記実体情報の記録領域を管理する情報を当該論理単位数分記録するための記録領域を、新たな実体管理情報の記録領域として、前記予備論理単位数分の記録領域内に確保する工程と、
前記実体情報の記録領域のサイズと数の情報と、前記論理単位数の情報とに基づいて、新たな実体情報の記録領域を前記記憶手段上に確保する工程と、
前記実体管理情報の記録領域の確保後に、前記実体管理情報を管理する情報を、前記新たなメニュー管理情報の記録領域に記録する工程と、
前記実体情報の記録領域を確保後に、前記実体情報の記録領域を管理する情報を前記新たな実体管理情報の記録領域に記録する工程と、
記録しようとする実体情報を符号化する工程と、
前記新たな実体情報の記録領域に、前記符号化された実体情報を記録する工程と、
を実行させるプログラムが記録されたことを特徴とする情報記録媒体。
【発明の詳細な説明】
【０００１】
【発明の属する技術分野】
本発明は、動画情報、及び動画情報に伴う音声または音楽等の音情報、並びに字幕等の副映像情報を、システムストリームとして記録可能なマルチメディア光ディスク等の情報記録媒体、及びこの情報記録媒体に記録するための情報を作成するための方法及び装置、並びに前記情報記録媒体の作成方法及び装置、並びにそれらの方法をコンピュータに実行させるためのプログラムを記録した情報記録媒体の技術分野に属するものである。
【０００２】
【従来の技術】
従来のＤＶＤ等のマルチメディア光ディスクに対する、静止画像、動画像、あるいは音声等の記録方式としては、特開平１０−１９９２１５号公報、あるいは特開平１０−１０８１３５号公報等に開示されている方式が挙げられる。この記録方式は、まず、これらの記録用のデータをＭＰＥＧ（Moving Picture Experts Group）等の規格に定められた方式に基づいてデジタル符号化し、次に、このように符号化したデータをＤＶＤ等のマルチメディア光ディスクの規格で定められた論理フォーマットに従って多重化し、システムストリームと呼ばれるデータ群を作成する。そして、このシステムストリームを管理するためのシステムストリーム管理情報を、当該論理フォーマットに従って作成し、更にこのシステムストリーム管理情報を含めディスク全体を管理するための全体管理情報を当該論理フォーマットに従って作成し、前記システムストリーム、システムストリーム管理情報、及び全体管理情報を記録するという方式である。
【０００３】
ＤＶＤ等のマルチメディア光ディスクは、非常に多くの情報を記録することができるので、以上のような記録方式を用いることにより、例えば家庭等で撮影した何本ものビデオテープを、１枚のマルチメディア光ディスクにまとめることができる。また、マルチメディア光ディスクは、このように多くの情報を記録した場合でも、前記管理情報により、瞬時に所望の再生箇所を検出することができ、画像や音の記録媒体として優れた利点を有している。
【０００４】
【発明が解決しようとする課題】
しかしながら、前記従来の記録方式によれば、前記全体管理情報及び管理情報並びに実体情報は、前記論理フォーマットで定められた順序で隙間なく記録されるため、一度作成した光ディスクに変更を加える場合には、最初から全ての情報を作成し直さなければならず、極めて効率が悪かった。
【０００５】
また、一度にビデオ映像等の素材が揃わない場合には、後からの追加記録ができないため、ビデオ映像等の素材が全て揃うまで光ディスクの作成処理を行うことができず、効率の良い光ディスクの作成処理を行うことができなかった。
【０００６】
そこで、本発明は、このような問題点を解決し、静止画像、動画像、あるいは音声等の音情報をコンテンツとしたＤＶＤ等のマルチメディア光ディスクの作成処理の効率を向上させることのできるＤＶＤ等のマルチメディア光ディスクの情報記録媒体、その情報記録媒体の作成方法及び装置、この方法または装置を用いて情報記録媒体を作成する方法及び装置、並びにこれらのような方法をコンピュータに実行させるプログラムを記録した情報記録媒体を提供することを課題としている。
【０００７】
【課題を解決するための手段】
請求項１記載の情報記録媒体は、前記課題を解決するために、画像又は音の少なくとも一方を表す符号化された実体情報の記録領域が確保されると共に、該記録領域及び該記録領域に実体情報が記録された場合の該実体情報を管理する実体管理情報と、該実体管理情報を管理するメニュー管理情報とが記録され、前記記録領域及び前記記録領域に実体情報が記録された場合の該実体情報を複数のタイトル毎に管理するように論理構造化された書き換え可能な情報記録媒体であって、前記メニュー管理情報には、予め定められたタイトル数分の前記実体管理情報を管理する情報が記録され、前記実体管理情報は、前記予め定められたタイトル数分記録されると共に、各タイトル毎の実体管理情報には、予め定められたサイズを備え予め定められた数の前記記録領域を所定の論理単位毎に管理する情報が記録され、前記記録領域は、前記論理単位毎に、予め定められたサイズを備え予め定められた数分確保されており、該記録領域のうち、前記実体情報が記録された１の前記記録領域と、前記実体情報が記録された他の前記記録領域との間の記録領域は、後から前記実体情報を記録可能なように前記実体情報が記録されていない記録領域であることを特徴とする。
【０００８】
請求項１記載の情報記録媒体は書き換え可能な情報記録媒体であり、当該情報記録媒体には、画像又は音の少なくとも一方を表す符号化された実体情報の記録領域が確保される。また、該記録領域及び該記録領域に実体情報が記録された場合の該実体情報を管理する実体管理情報が記録されている。更には、該実体管理情報を管理するメニュー管理情報が記録されている。このような情報が記録された結果、前記記録領域及び前記記録領域に実体情報が記録された場合には、該実体情報を複数のタイトル毎に管理することができる。しかも、前記メニュー管理情報には、予め定められたタイトル数分の前記実体管理情報を管理する情報が記録されており、前記実体管理情報は、前記予め定められたタイトル数分記録される。また、各タイトル毎の実体管理情報には、予め定められたサイズを備え予め定められた数の前記記録領域を所定の論理単位毎に管理する情報が記録されており、更に前記記録領域は、前記論理単位毎に、予め定められたサイズを備え、且つ予め定められた数分確保されている。従って、この予め定められた範囲内であれば、前記記録領域に、実体情報の追加記録を行った場合であっても、当該追加記録した実体情報は、前記メニュー管理情報及び実体管理情報により、タイトル毎に管理されることになる。従って、前記メニュー管理情報及び実体管理情報を最初から作り直す手間を省き、実体情報の記録された情報記録媒体の作成処理の効率化を図る。
【０００９】
請求項２記載の情報記録媒体は、前記課題を解決するために、請求項１記載の情報記録媒体において、前記メニュー管理情報及び実体管理情報には、前記タイトルまたはタイトル下の前記論理単位を選択する選択情報が、前記記録領域における実体情報の記録の有無に拘わらず予め記録されていることを特徴とする。
【００１０】
請求項２記載の情報記録媒体によれば、前記メニュー管理情報には、前記タイトルを選択する情報が、前記記録領域における実体情報の記録の有無に拘わらず予め記録されている。また、前記実体管理情報には、タイトルの下の前記論理単位を選択する選択情報が、前記記録領域における実体情報の記録の有無に拘わらず予め記録されている。従って、上述のように実体情報の追加記録が行われた場合でも、当該実体情報は、前記選択情報に基づいてタイトル毎に管理されることになる。従って、前記メニュー管理情報及び実体管理情報を最初から作り直す手間を省き、実体情報の記録された情報記録媒体の作成処理の効率化を図る。
【００１１】
請求項３に記載の情報記録媒体は、前記課題を解決するために、請求項１記載の情報記録媒体において、前記実体管理情報の記録領域は、予め定められた初期タイトル数分及び予備タイトル数分確保されており、初期タイトル数に対応して確保された実体管理情報の記録領域には、予め定められたサイズを備え予め定められた数の前記実体情報の記録領域を、初期論理単位数分の論理単位毎に管理する情報が記録されており、前記予備タイトル数に対応して確保された実体管理情報の記録領域には、予め定められたサイズを備え予め定められた数の前記実体情報の記録領域を、予備論理単位数分の論理単位毎に管理する情報を記録する為の記録領域として確保されていることを特徴とする。
【００１２】
請求項３に記載の情報記録媒体によれば、前記実体管理情報の記録領域は、予め定められた初期タイトル数分確保されているばかりでなく、更に予備タイトル数分確保されている。そして、初期タイトル数に対応して確保された実体管理情報の記録領域には、予め定められたサイズを備え、予め定められた数の前記実体情報の記録領域を初期論理単位数分の論理単位毎に管理する情報が記録されている。また、前記予備タイトル数に対応して確保された実体管理情報の記録領域には、予め定められたサイズを備え、予め定められた数の前記実体情報の記録領域を、予備論理単位数分の論理単位毎に管理する情報を記録する為の記録領域として確保されている。従って、実体情報だけでなく、管理情報の追加記録も可能であり、このような追加記録を行った場合でも、実体情報をタイトル毎に管理でき、前記メニュー管理情報及び実体管理情報を最初から作り直す手間を省いて実体情報の記録された情報記録媒体の作成処理の効率化を図る。
【００１３】
請求項４記載の情報記録媒体を作成するための情報の作成方法は、前記課題を解決するために、前記各情報及び記録領域を、前記情報記録媒体以外の記憶手段上に記憶あるいは確保することにより、請求項１記載の情報記録媒体を作成するための情報を作成する方法であって、タイトル毎の管理を行う為のシナリオ情報と、前記論理単位毎に管理される前記実体情報の記録領域のサイズと数の情報とを入力する工程と、前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する工程と、前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する工程と、前記実体情報の記録領域のサイズと数の情報と、前記論理単位数の情報とに基づいて、前記実体情報の記録領域を前記記憶手段上に確保する工程と、前記実体管理情報の記録領域の確保後に、前記実体管理情報を管理する情報を、前記メニュー管理情報の記録領域に記録する工程と、前記実体情報の記録領域を確保後に、前記実体情報の記録領域を管理する情報を前記実体管理情報の記録領域に記録する工程と、前記実体情報の記録領域を確保後に、該記録領域のうち、１の前記記録領域と、他の前記記録領域に前記実体情報を記録し、かつ当該１の記録領域と当該他の記録領域との間の記録領域には、後から前記実体情報を記録可能なように前記実体情報を記録せずに予約領域として確保する工程とを備えたことを特徴とする。
【００１４】
請求項４記載の情報記録媒体を作成するための情報の作成方法は、前記課題を解決するために、前記各情報及び記録領域を、前記情報記録媒体以外の記憶手段上に記憶あるいは確保することにより、請求項１記載の情報記録媒体を作成するための情報を作成する方法であって、タイトル毎の管理を行う為のシナリオ情報と、前記論理単位毎に管理される前記実体情報の記録領域のサイズと数の情報とを入力する工程と、前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する工程と、前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する工程と、前記実体情報の記録領域のサイズと数の情報と、前記論理単位数の情報とに基づいて、前記実体情報の記録領域を前記記憶手段上に確保する工程と、前記実体管理情報の記録領域の確保後に、前記実体管理情報を管理する情報を、前記メニュー管理情報の記録領域に記録する工程と、前記実体情報の記録領域を確保後に、前記実体情報の記録領域を管理する情報を前記実体管理情報の記録領域に記録する工程とを備えたことを特徴とする。
【００１５】
請求項４記載の情報記録媒体を作成するための情報の作成方法によれば、前記各情報及び記録領域を、前記情報記録媒体以外の記憶手段上に記憶させ、あるいは確保させることにより、請求項１記載の情報記録媒体を作成するための情報を作成する際に、タイトル毎の管理を行う為のシナリオ情報と、前記論理単位毎に管理される前記実体情報の記録領域のサイズと数の情報とを入力する。次に、前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する。次に、前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する。次に、前記実体情報の記録領域のサイズと数の情報と、前記論理単位数の情報とに基づいて、前記実体情報の記録領域を前記記憶手段上に確保する。次に、前記実体管理情報の記録領域の確保後に、前記実体管理情報を管理する情報を、前記メニュー管理情報の記録領域に記録する。そして、前記実体情報の記録領域を確保後に、前記実体情報の記録領域を管理する情報を前記実体管理情報の記録領域に記録する。従って、前記確保された記録領域に、実体情報を追加記録することにより、前記記憶手段上において情報記録媒体と同じ情報記録状態を作り出すことができ、情報記録媒体の種類によらず情報の追加記録を可能とする。
【００１６】
請求項５記載の情報記録媒体を作成するための情報の作成方法は、前記課題を解決するために、請求項４記載の情報記録媒体を作成するための情報の作成方法において、前記実体管理情報を管理する情報あるいは前記実体情報の記録領域を管理する情報を、前記記録領域に記録する工程は、前記タイトルまたはタイトル下の前記論理単位を選択する選択情報を、前記管理する情報に含んで記録する工程とを備えたことを特徴とする。
【００１７】
請求項５記載の情報記録媒体を作成するための情報の作成方法によれば、前記実体管理情報を管理する情報を前記記録領域に記録する際には、前記タイトルを選択する選択情報を、前記管理する情報に含んで記録する。また、前記実体情報の記録領域を管理する情報を前記記録領域に記録する際には、前記タイトルの下の前記論理単位を選択する選択情報を前記管理する情報に含んで記録する。従って、上述のように実体情報の追加記録が行われた場合でも、当該実体情報は、前記選択情報に基づいてタイトル毎に管理されることになる。従って、前記メニュー管理情報及び実体管理情報を最初から作り直す手間を省き、実体情報の記録された情報記録媒体の作成処理の効率化を図る。
【００１８】
請求項６記載の情報記録媒体を作成するための情報の作成方法は、前記課題を解決するために、タイトル毎の管理を行う為のシナリオ情報を入力する工程は、初期タイトル数及び予備タイトル数と、初期論理単位数及び前記予備タイトル数に対する予備論理単位数とを前記タイトルの構成情報内に含むシナリオ情報を入力する工程であり、メニュー管理情報の記録領域を前記記憶手段上に確保する工程は、前記タイトルの構成情報に含まれる初期タイトル数及び予備タイトル数の情報に基づいて、前記実体管理情報を管理する情報を当該初期タイトル数分及び予備タイトル数分記録するための記録領域を、メニュー管理情報の記録領域として前記記憶手段上に確保する工程であり、前記実体管理情報の記録領域を前記記憶手段上に確保する工程は、前記タイトルの構成情報に含まれる初期論理単位数及び予備論理単位数の情報に基づいて、前記実体情報の記録領域を管理する情報を当該初期論理単位数分及び予備論理単位数分記録するための記録領域を、前記実体管理情報の記録領域として前記記憶手段上に確保する工程であり、前記実体情報の記録領域を前記記憶手段上に確保する工程は、前記実体情報の記録領域のサイズと数の情報と、前記初期論理単位数及び予備論理単位数の情報とに基づいて、前記実体情報の記録領域を前記記憶手段上に確保する工程であり、前記メニュー管理情報の記録領域に前記実体管理情報を管理する情報を記録する工程は、前記実体管理情報の記録領域の確保後に、前記メニュー管理情報の記録領域のうち、前記初期タイトル数に対応して確保された記録領域のみについて、前記情報を記録する工程であり、前記実体管理情報の記録領域に前記実体情報の記録領域を管理する情報を記録する工程は、前記実体情報の記録領域を確保後に、前記実体管理情報の記録領域のうち、前記初期論理単位数に対応して確保された記録領域のみについて、前記情報を記録する工程であることを特徴とする。
【００１９】
請求項６記載の情報記録媒体を作成するための情報の作成方法によれば、タイトル毎の管理を行う為のシナリオ情報を入力する際には、初期タイトル数だけでなく、予備タイトル数を前記タイトルの構成情報内に含み、また、初期論理単位数だけでなく、予備タイトル数に対する予備論理単位数を前記タイトルの構成情報内に含むシナリオ情報を入力する。また、メニュー管理情報の記録領域を前記記憶手段上に確保する際には、前記タイトルの構成情報に含まれる初期タイトル数及び予備タイトル数の情報に基づいて、前記実体管理情報を管理する情報を当該初期タイトル数分だけでなく、予備タイトル数分記録するための記録領域を、メニュー管理情報の記録領域として前記記憶手段上に確保する。更に、前記実体管理情報の記録領域を前記記憶手段上に確保する際には、前記タイトルの構成情報に含まれる初期論理単位数及び予備論理単位数の情報に基づいて、前記実体情報の記録領域を管理する情報を当該初期論理単位数分だけでなく、予備論理単位数分記録するための記録領域を、前記実体管理情報の記録領域として前記記憶手段上に確保する。また、前記実体情報の記録領域を前記記憶手段上に確保する際には、前記実体情報の記録領域のサイズと数の情報とに基づいて、更には記初期論理単位数だけでなく、予備論理単位数の情報に基づいて、前記実体情報の記録領域を前記記憶手段上に確保する。そして、前記メニュー管理情報の記録領域に前記実体管理情報を管理する情報を記録する際には、前記実体管理情報の記録領域の確保後に、前記メニュー管理情報の記録領域のうち、前記初期タイトル数に対応して確保された記録領域のみについて、前記情報を記録する。また、前記実体管理情報の記録領域に前記実体情報の記録領域を管理する情報を記録する際には、前記実体情報の記録領域を確保後に、前記実体管理情報の記録領域のうち、前記初期論理単位数に対応して確保された記録領域のみについて、前記情報を記録する。従って、前記予備タイトル数分の実体情報の記録領域に、実体情報の追加記録を行うことができるだけでなく、これに対応する管理情報についても追加記録を行うことができるので、管理情報について変更を加える場合でも、効率の良い処理が行われる。
【００２０】
請求項７記載の情報記録媒体を作成するための情報の作成装置は、前記課題を解決するために、記憶手段を備え、前記各情報及び記録領域を、前記情報記録媒体以外の前記記憶手段上に記憶あるいは確保することにより、請求項１記載の情報記録媒体を作成するための情報の作成装置であって、タイトル毎の管理を行う為のシナリオ情報と、前記論理単位毎に管理される前記実体情報の記録領域のサイズと数の情報とを入力する情報入力手段と、前記シナリオ情報内の前記タイトルの構成情報に含まれるタイトル数の情報に基づいて、前記実体管理情報を管理する情報を当該タイトル数分記録するための記録領域を、メニュー管理情報の記録領域として、又、前記タイトルの構成情報に含まれる前記論理単位数の情報に基づいて、前記実体情報の記録領域を管理する情報を当該論理単位数記録するための記録領域を、前記実体管理情報の記録領域として、更に、前記実体情報の記録領域のサイズと数の情報と、前記論理単位数の情報とに基づいて、前記実体情報の記録領域を、それぞれ前記記憶手段上に確保する記録領域確保手段と、前記実体管理情報の記録領域の確保後に、前記実体管理情報を管理する情報を、前記メニュー管理情報の記録領域に記録すると共に、前記実体情報の記録領域を確保後に、前記実体情報の記録領域を管理する情報を前記実体管理情報の記録領域に記録する情報記録手段と、前記実体情報の記録領域を確保後に、該記録領域のうち、１の前記記録領域と、他の前記記録領域に前記実体情報を記録し、かつ当該１の記録領域と当該他の記録領域との間の記録領域には、後から前記実体情報を記録可能なように前記実体情報を記録せずに予約領域として確保する手段とを備えたことを特徴とする。
【００２１】
請求項７記載の情報記録媒体を作成するための情報の作成装置によれば、情報入力手段により、タイトル毎の管理を行う為のシナリオ情報と、前記論理単位毎に管理される前記実体情報の記録領域のサイズと数の情報とが入力される。次に、記録領域確保手段により、前記実体管理情報を管理する情報を当該タイトル数分記録するための記録領域が、前記シナリオ情報内の前記タイトルの構成情報に含まれるタイトル数の情報に基づいて、メニュー管理情報の記録領域として前記記憶手段上に確保される。又、記録領域確保手段により、前記実体情報の記録領域を管理する情報を当該論理単位数記録するための記録領域が、前記タイトルの構成情報に含まれる前記論理単位数の情報に基づいて、前記実体管理情報の記録領域として前記記憶手段上に確保される。更に、記録領域確保手段により、前記実体情報の記録領域のサイズと数の情報と、前記論理単位数の情報とに基づいて、前記実体情報の記録領域が前記記憶手段上に確保される。そして、前記実体管理情報の記録領域の確保後には、情報記録手段により、前記実体管理情報を管理する情報が、前記メニュー管理情報の記録領域に記録される。また、前記実体情報の記録領域の確保後には、前記実体情報の記録領域を管理する情報が、前記実体管理情報の記録領域に記録される。従って、この予め定められた範囲内であれば、前記記録領域に、実体情報の追加記録を行った場合であっても、当該追加記録した実体情報は、前記メニュー管理情報及び実体管理情報により、タイトル毎に管理されることになる。従って、前記実体情報の追加記録を行う場合でも、前記メニュー管理情報及び実体管理情報を最初から作り直す手間を省き、実体情報の記録された情報記録媒体の作成処理の効率化が図られる。
【００２２】
請求項８記載の情報記録媒体を作成するための情報の作成装置は、前記課題を解決するために、請求項７記載の情報記録媒体を作成するための情報の作成装置において、前記情報記録手段は、前記タイトルまたはタイトル下の前記論理単位を選択する選択情報を、前記管理する情報に含んで記録する手段であることを特徴とする。
【００２３】
請求項８記載の情報記録媒体を作成するための情報の作成装置によれば、前記情報記録手段は、前記タイトルを選択する選択情報を、またはタイトルの下の前記論理単位を選択する選択情報を、前記管理する情報に含んで記録するので、上述のように実体情報の追加記録を行う場合でも、当該実体情報は、前記選択情報に基づいてタイトル毎に管理されることになり、前記メニュー管理情報及び実体管理情報を最初から作り直す手間を省き、実体情報の記録された情報記録媒体の作成処理の効率化を図る。
【００２４】
請求項９記載の情報記録媒体を作成するための情報の作成装置は、前記課題を解決するために、請求項７記載の情報記録媒体を作成するための情報の作成装置において、前記情報入力手段は、初期タイトル数及び予備タイトル数と、初期論理単位数及び前記予備タイトル数に対する予備論理単位数とを前記タイトルの構成情報内に含むシナリオ情報を入力する手段であり、前記記録領域確保手段は、前記タイトルの構成情報に含まれる初期タイトル数及び予備タイトル数の情報に基づいて、前記実体管理情報を管理する情報を当該初期タイトル数分及び予備タイトル数分記録するための記録領域を、メニュー管理情報の記録領域として、又、前記タイトルの構成情報に含まれる初期論理単位数及び予備論理単位数の情報に基づいて、前記実体情報の記録領域を管理する情報を当該初期論理単位数分及び予備論理単位数分記録するための記録領域を、前記実体管理情報の記録領域として、更に、前記実体情報の記録領域のサイズと数の情報と、前記初期論理単位数及び予備論理単位数の情報とに基づいて、前記実体情報の記録領域を、それぞれ前記記憶手段上に確保する手段であり、前記情報記録手段は、前記実体管理情報の記録領域の確保後に、前記メニュー管理情報の記録領域のうち、前記初期タイトル数に対応して確保された記録領域のみについて、前記情報を記録し、又、前記実体情報の記録領域を確保後に、前記実体管理情報の記録領域のうち、前記初期論理単位数に対応して確保された記録領域のみについて、前記情報を記録する手段であることを特徴とする。
【００２５】
請求項９記載の情報記録媒体を作成するための情報の作成装置によれば、前記情報入力手段により、初期タイトル数だけでなく、予備タイトル数を前記タイトルの構成情報内に含み、また、初期論理単位数だけでなく、前記予備タイトル数に対する予備論理単位数を前記タイトルの構成情報内に含むシナリオ情報が入力される。一方、前記記録領域確保手段により、前記タイトルの構成情報に含まれる初期タイトル数及び予備タイトル数の情報に基づいて、前記実体管理情報を管理する情報を当該初期タイトル数分及び予備タイトル数分記録するための記録領域が、メニュー管理情報の記録領域として前記記憶手段上に確保される。また、前記記録領域確保手段により、前記タイトルの構成情報に含まれる初期論理単位数及び予備論理単位数の情報に基づいて、前記実体情報の記録領域を管理する情報を当該初期論理単位数分及び予備論理単位数分記録するための記録領域が、前記実体管理情報の記録領域として、前記記憶手段上に確保される。更に、前記記録領域確保手段により、前記実体情報の記録領域のサイズと数の情報と、前記初期論理単位数及び予備論理単位数の情報とに基づいて、前記実体情報の記録領域が前記記憶手段上に確保される。そして、前記情報記録手段により、前記実体管理情報の記録領域の確保後に、前記メニュー管理情報の記録領域のうち、前記初期タイトル数に対応して確保された記録領域のみについて、前記情報が記録され、又、前記実体情報の記録領域を確保後に、前記実体管理情報の記録領域のうち、前記初期論理単位数に対応して確保された記録領域のみについて、前記情報が記録される。従って、前記予備タイトル数分の実体情報の記録領域に、実体情報の追加記録を行うことができるだけでなく、これに対応する管理情報についても追加記録を行うことができるので、管理情報について変更を加える場合でも、効率の良い処理が行われる。
【００２６】
請求項１０記載の情報記録媒体は、前記課題を解決するために、前記各情報及び記録領域をコンピュータの記憶手段上に記憶あるいは確保させる工程をコンピュータに実行させることにより、請求項１記載の情報記録媒体を作成するための情報を作成するプログラムが記録されたコンピュータ読み取り可能な情報記録媒体であって、前記コンピュータに、タイトル毎の管理を行う為のシナリオ情報と、前記論理単位毎に管理される前記実体情報の記録領域のサイズと数の情報とを入力する工程と、前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する工程と、前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する工程と、前記実体情報の記録領域のサイズと数の情報と、前記論理単位数の情報とに基づいて、前記実体情報の記録領域を前記記憶手段上に確保する工程と、前記実体管理情報の記録領域の確保後に、前記実体管理情報を管理する情報を、前記メニュー管理情報の記録領域に記録する工程と、前記実体情報の記録領域を確保後に、前記実体情報の記録領域を管理する情報を前記実体管理情報の記録領域に記録する工程と、前記実体情報の記録領域を確保後に、該記録領域のうち、１の前記記録領域と、他の前記記録領域に前記実体情報を記録し、かつ当該１の記録領域と当該他の記録領域との間の記録領域には、後から前記実体情報を記録可能なように前記実体情報を記録せずに予約領域として確保する工程とを前記コンピュータに実行させるプログラムが記録されたことを特徴とする。
【００２７】
請求項１０記載の情報記録媒体に記録されたプログラムをコンピュータに実行させることにより、タイトル毎の管理を行う為のシナリオ情報と、前記論理単位毎に管理される前記実体情報の記録領域のサイズと数の情報とを入力する。次に、前記シナリオ情報内の前記タイトルの構成情報に含まれるタイトル数の情報に基づいて、前記実体管理情報を管理する情報を当該タイトル数分記録するための記録領域を、メニュー管理情報の記録領域として前記記憶手段上に確保する。次に、前記タイトルの構成情報に含まれる前記論理単位数の情報に基づいて、前記実体情報の記録領域を管理する情報を当該論理単位数分記録するための記録領域を、前記実体管理情報の記録領域として前記記憶手段上に確保する。次に、前記実体情報の記録領域のサイズと数の情報と、前記論理単位数の情報とに基づいて、前記実体情報の記録領域を前記記憶手段上に確保する。次に、前記実体管理情報の記録領域の確保後に、前記実体管理情報を管理する情報を、前記メニュー管理情報の記録領域に記録する。そして、前記実体情報の記録領域を確保後に、前記実体情報の記録領域を管理する情報を前記実体管理情報の記録領域に記録する。従って、前記確保された記録領域に、実体情報を追加記録することにより、前記記憶手段上において情報記録媒体と同じ情報記録状態を作り出すことができ、情報記録媒体の種類によらず情報の追加記録を可能とする。
【００２８】
請求項１１記載の情報記録媒体は、前記課題を解決するために、請求項１０記載の情報記録媒体において、前記コンピュータに、前記実体管理情報を管理する情報あるいは前記実体情報の記録領域を管理する情報を、前記記録領域に記録する工程として、前記タイトルまたはタイトル下の前記論理単位を選択する選択情報を、前記管理する情報に含んで記録する工程を実行させるプログラムが記録されたことを特徴とする。
【００２９】
請求項１１記載の情報記録媒体に記録されたプログラムをコンピュータに実行させると、前記メニュー管理情報には、前記タイトルを選択する情報が、前記記録領域における実体情報の記録の有無に拘わらず予め記録されることになる。また、前記実体管理情報には、タイトルの下の前記論理単位を選択する選択情報が、前記記録領域における実体情報の記録の有無に拘わらず予め記録される。従って、上述のように実体情報の追加記録が行われた場合でも、当該実体情報は、前記選択情報に基づいてタイトル毎に管理されることになる。従って、前記メニュー管理情報及び実体管理情報を最初から作り直す手間を省き、実体情報の記録された情報記録媒体の作成処理の効率化を図る。
【００３０】
請求項１２記載の情報記録媒体は、前記課題を解決するために、請求項１０記載の情報記録媒体において、前記コンピュータに、タイトル毎の管理を行う為のシナリオ情報を入力する工程として、初期タイトル数及び予備タイトル数と、初期論理単位数及び前記予備タイトル数に対する予備論理単位数とを前記タイトルの構成情報内に含むシナリオ情報を入力する工程を、メニュー管理情報の記録領域を前記記憶手段上に確保する工程として、前記タイトルの構成情報に含まれる初期タイトル数及び予備タイトル数の情報に基づいて、前記実体管理情報を管理する情報を当該初期タイトル数分及び予備タイトル数分記録するための記録領域を、メニュー管理情報の記録領域として前記記憶手段上に確保する工程を、前記実体管理情報の記録領域を前記記憶手段上に確保する工程として、前記タイトルの構成情報に含まれる初期論理単位数及び予備論理単位数の情報に基づいて、前記実体情報の記録領域を管理する情報を当該初期論理単位数分及び予備論理単位数分記録するための記録領域を、前記実体管理情報の記録領域として前記記憶手段上に確保する工程を、前記実体情報の記録領域を前記記憶手段上に確保する工程として、前記実体情報の記録領域のサイズと数の情報と、前記初期論理単位数及び予備論理単位数の情報とに基づいて、前記実体情報の記録領域を前記記憶手段上に確保する工程を、前記メニュー管理情報の記録領域に前記実体管理情報を管理する情報を記録する工程として、前記実体管理情報の記録領域の確保後に、前記メニュー管理情報の記録領域のうち、前記初期タイトル数に対応して確保された記録領域のみについて、前記情報を記録する工程を、前記実体管理情報の記録領域に前記実体情報の記録領域を管理する情報を記録する工程として、前記実体情報の記録領域を確保後に、前記実体管理情報の記録領域のうち、前記初期論理単位数に対応して確保された記録領域のみについて、前記情報を記録する工程を、それぞれ実行させるプログラムが記録されたことを特徴とする。
【００３１】
請求項１２記載の情報記録媒体に記録されたプログラムをコンピュータに実行させると、タイトル毎の管理を行う為のシナリオ情報を入力する際には、初期タイトル数だけでなく、予備タイトル数を前記タイトルの構成情報内に含み、また、初期論理単位数だけでなく、予備タイトル数に対する予備論理単位数を前記タイトルの構成情報内に含むシナリオ情報を入力する。また、メニュー管理情報の記録領域を前記記憶手段上に確保する際には、前記タイトルの構成情報に含まれる初期タイトル数及び予備タイトル数の情報に基づいて、前記実体管理情報を管理する情報を当該初期タイトル数分だけでなく、予備タイトル数分記録するための記録領域を、メニュー管理情報の記録領域として前記記憶手段上に確保する。更に、前記実体管理情報の記録領域を前記記憶手段上に確保する際には、前記タイトルの構成情報に含まれる初期論理単位数及び予備論理単位数の情報に基づいて、前記実体情報の記録領域を管理する情報を当該初期論理単位数分だけでなく、予備論理単位数分記録するための記録領域を、前記実体管理情報の記録領域として前記記憶手段上に確保する。また、前記実体情報の記録領域を前記記憶手段上に確保する際には、前記実体情報の記録領域のサイズと数の情報とに基づいて、更には初期論理単位数だけでなく、予備論理単位数の情報に基づいて、前記実体情報の記録領域を前記記憶手段上に確保する。そして、前記メニュー管理情報の記録領域に前記実体管理情報を管理する情報を記録する際には、前記実体管理情報の記録領域の確保後に、前記メニュー管理情報の記録領域のうち、前記初期タイトル数に対応して確保された記録領域のみについて、前記情報を記録する。また、前記実体管理情報の記録領域に前記実体情報の記録領域を管理する情報を記録する際には、前記実体情報の記録領域を確保後に、前記実体管理情報の記録領域のうち、前記初期論理単位数に対応して確保された記録領域のみについて、前記情報を記録する。従って、前記予備タイトル数分の実体情報の記録領域に、実体情報の追加記録を行うことができるだけでなく、これに対応する管理情報についても追加記録を行うことができるので、管理情報について変更を加える場合でも、効率の良い処理が行われる。
【００３２】
請求項１３記載の情報記録媒体の作成方法は。前記課題を解決するために、前記各情報及び記録領域を、前記情報記録媒体以外の記憶手段上に記憶あるいは確保し、当該記憶した各情報に基づいて請求項１記載の情報記録媒体を作成する方法であって、請求項４記載の情報の作成方法により前記記憶手段上に作成された前記情報を出力する工程と、前記出力された情報を、所定の記録形式に変換する工程と、前記変換された情報に基づいて光ビームを変調し前記情報記録媒体上に情報の記録を行う工程とを備えたことを特徴とする。
【００３３】
請求項１３記載の情報記録媒体の作成方法によれば、請求項４記載の情報の作成方法により前記確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００３４】
請求項１４記載の情報記録媒体の作成方法は、前記課題を解決するために、前記各情報及び記録領域を、前記情報記録媒体以外の記憶手段上に記憶あるいは確保し、当該記憶した各情報に基づいて請求項１記載の情報記録媒体を作成する方法であって、請求項５記載の情報の作成方法により前記記憶手段上に作成された前記情報を出力する工程と、前記出力された情報を、所定の記録形式に変換する工程と、前記変換された情報に基づいて光ビームを変調し前記情報記録媒体上に情報の記録を行う工程とを備えたことを特徴とする。
【００３５】
請求項１４記載の情報記録媒体の作成方法によれば、請求項５記載の情報の作成方法により、前記選択情報に基づいてタイトル毎に管理可能に確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００３６】
請求項１５情報記録媒体の作成方法は、前記課題を解決するために、前記各情報及び記録領域を、前記情報記録媒体以外の記憶手段上に記憶あるいは確保し、当該記憶した各情報に基づいて請求項１記載の情報記録媒体を作成する方法であって、請求項６記載の情報の作成方法により前記記憶手段上に作成された前記情報を出力する工程と、前記出力された情報を、所定の記録形式に変換する工程と、
前記変換された情報に基づいて光ビームを変調し前記情報記録媒体上に情報の記録を行う工程とを備えたことを特徴とする。
【００３７】
請求項１５記載の情報記録媒体の作成方法によれば、請求項６記載の情報の作成方法により、実体情報だけでなく、管理情報についても追加記録可能な状態で確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００３８】
請求項１６情報記録媒体の作成装置は、前記課題を解決するために、前記各情報及び記録領域を、前記情報記録媒体以外の記憶手段上に記憶あるいは確保し、当該記憶した各情報に基づいて請求項１記載の情報記録媒体を作成する装置であって、請求項７記載の情報の作成装置により前記記憶手段上に作成された前記情報を出力する情報出力手段と、前記情報出力手段から出力された情報を、所定の記録形式に変換する変換手段と、前記変換手段により変換された情報に基づいて光ビームを変調し前記情報記録媒体上に情報の記録を行う記録手段とを備えたことを特徴とする。
【００３９】
請求項１６記載の情報記録媒体の作成装置によれば、請求項７記載の情報の作成装置により前記確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００４０】
請求項１７情報記録媒体の作成装置は、前記課題を解決するために、前記各情報及び記録領域を、前記情報記録媒体以外の記憶手段上に記憶あるいは確保し、当該記憶した各情報に基づいて請求項１記載の情報記録媒体を作成する装置であって、請求項８記載の情報の作成装置により前記記憶手段上に作成された前記情報を出力する情報出力手段と、前記情報出力手段から出力された情報を、所定の記録形式に変換する変換手段と、前記変換手段により変換された情報に基づいて光ビームを変調し前記情報記録媒体上に情報の記録を行う記録手段とを備えたことを特徴とする。
【００４１】
請求項１７記載の情報記録媒体の作成方法によれば、請求項８記載の情報の作成装置により、前記選択情報に基づいてタイトル毎に管理可能に確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００４２】
請求項１８記載の情報記録媒体の作成装置は、前記課題を解決するために、前記各情報及び記録領域を、前記情報記録媒体以外の記憶手段上に記憶あるいは確保し、当該記憶した各情報に基づいて請求項１記載の情報記録媒体を作成する装置であって、請求項９記載の情報の作成装置により前記記憶手段上に作成された前記情報を出力する情報出力手段と、前記情報出力手段から出力された情報を、所定の記録形式に変換する変換手段と、前記変換手段により変換された情報に基づいて光ビームを変調し前記情報記録媒体上に情報の記録を行う記録手段とを備えたことを特徴とする。
【００４３】
請求項１８記載の情報記録媒体の作成方法によれば、請求項９記載の情報の作成方法により、実体情報だけでなく、管理情報についても追加記録可能な状態で確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００４４】
請求項１９記載の情報記録媒体は、前記課題を解決するために、コンピュータに、前記各情報及び記録領域を、前記情報記録媒体以外の記憶手段上に記憶あるいは確保させ、当該記憶した各情報に基づいて請求項１記載の情報記録媒体を作成させるプログラムが記録されたコンピュータ読み取り可能な情報記録媒体であって、前記コンピュータに、請求項４記載の情報の作成方法により前記記憶手段上に作成された前記情報を出力する工程と、前記出力された情報を、所定の記録形式に変換する工程と、前記変換された情報に基づいて光ビームを変調し前記情報記録媒体上に情報の記録を行う工程とを実行させるプログラムが記録されたことを特徴とする。
【００４５】
請求項１９記載の情報記録媒体に記録されたプログラムをコンピュータに実行させると、請求項４記載の情報の作成方法のように前記確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００４６】
請求項２０記載の情報記録媒体は、前記課題を解決するために、コンピュータに、前記各情報及び記録領域を、前記情報記録媒体以外の記憶手段上に記憶あるいは確保させ、当該記憶した各情報に基づいて請求項１記載の情報記録媒体を作成させるプログラムが記録されたコンピュータ読み取り可能な情報記録媒体であって、前記コンピュータに、請求項５記載の情報の作成方法により前記記憶手段上に作成された前記情報を出力する工程と、前記出力された情報を、所定の記録形式に変換する工程と、前記変換された情報に基づいて光ビームを変調し前記情報記録媒体上に情報の記録を行う工程とを実行させるプログラムが記録されたことを特徴とする。
【００４７】
請求項２０記載の情報記録媒体に記録されたプログラムをコンピュータに実行させると、請求項５記載の情報の作成方法のように前記選択情報に基づいてタイトル毎に管理可能に確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００４８】
請求項２１記載の情報記録媒体は、前記課題を解決するために、コンピュータに、前記各情報及び記録領域を、前記情報記録媒体以外の記憶手段上に記憶あるいは確保させ、当該記憶した各情報に基づいて請求項１記載の情報記録媒体を作成させるプログラムが記録されたコンピュータ読み取り可能な情報記録媒体であって、前記コンピュータに、請求項６記載の情報の作成方法により前記記憶手段上に作成された前記情報を出力する工程と、前記出力された情報を、所定の記録形式に変換する工程と、前記変換された情報に基づいて光ビームを変調し前記情報記録媒体上に情報の記録を行う工程とを実行させるプログラムが記録されたことを特徴とする。
【００４９】
請求項２１記載の情報記録媒体に記録されたプログラムをコンピュータに実行させると、請求項６記載の情報の作成方法のように実体情報だけでなく、管理情報についても追加記録可能な状態で確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を可能とする。
【００５０】
請求項２２記載の情報記録媒体を作成する方法は、前記課題を解決するために、請求項１または２記載の情報記録媒体を使用して画像情報又は音情報が記録された情報記録媒体を作成する方法であって、請求項１または２記載の論理構造を有する情報記録媒体を、タイトル数と、タイトル毎の前記論理単位の数と、該論理単位の階層数と、該階層のパターンとの何れか一つが異なる複数種類分用意する工程と、前記複数種類の情報記録媒体の中から、記録しようとする複数の実体情報間の相関関係に適合する論理構造パターンを備えた一つの情報記録媒体を選択する工程と、記録しようとする実体情報を符号化する工程と、選択した情報記録媒体から、前記メニュー管理情報及び実体情報管理情報の内容を読み取る工程と、読み取った内容に基づいて、前記実体情報の記録領域に、前記符号化された実体情報を記録する工程とを備えたことを特徴とする。
【００５１】
請求項２２記載の情報記録媒体を作成する方法によれば、請求項１または２記載の論理構造を有し、タイトル毎に管理可能に確保された記録領域を有する情報記録媒体であって、タイトル数と、タイトル毎の前記論理単位の数と、該論理単位の階層数と、該階層のパターンとの何れか一つが異なる情報記録媒体を、複数種類分用意する。次に、前記複数種類の情報記録媒体の中から、記録しようとする複数の実体情報間の相関関係に適合する論理構造パターンを備えた一つの情報記録媒体を選択する。次に、記録しようとする実体情報を符号化し、選択した情報記録媒体から、前記メニュー管理情報及び実体情報管理情報の内容を読み取る。そして、読み取った内容に基づいて、前記実体情報の記録領域に、前記符号化された実体情報を記録する。従って、ユーザーの有するビデオ映像を記録する場合でも、新たに管理情報から作成し直す必要がなく、当該ビデオ映像に適したメニュー構造を持つ情報記録媒体を効率良く作成することができる。
【００５２】
請求項２３記載の情報記録媒体を作成する方法は、前記課題を解決するために、請求項３記載の情報記録媒体を使用して画像情報又は音情報が記録された情報記録媒体を作成する方法であって、請求項３記載の論理構造を有する情報記録媒体を、タイトル数と、タイトル毎の前記論理単位の数と、該論理単位の階層数と、該階層のパターンとの何れか一つが異なる複数種類分用意する工程と、前記複数種類の情報記録媒体の中から、記録しようとする複数の実体情報間の相関関係に適合する論理構造パターンを備えた一つの情報記録媒体を選択する工程と、記録しようとする実体情報を符号化する工程と、選択した情報記録媒体から、初期タイトル数及び初期論理単位数に対応した前記メニュー管理情報及び実体情報管理情報の内容を読み取る工程と、読み取った内容に基づいて、前記実体情報の記録領域に、前記符号化された実体情報を記録する工程とを備えたことを特徴とする。
【００５３】
請求項２３記載の情報記録媒体を作成する方法によれば、請求項３記載の論理構造を有し、実体情報だけでなく、管理情報についても追加記録可能に確保された記録領域を有する情報記録媒体であって、タイトル数と、タイトル毎の前記論理単位の数と、該論理単位の階層数と、該階層のパターンとの何れか一つが異なる情報記録媒体を、複数種類分用意する。次に、前記複数種類の情報記録媒体の中から、記録しようとする複数の実体情報間の相関関係に適合する論理構造パターンを備えた一つの情報記録媒体を選択する。次に、記録しようとする実体情報を符号化する工程と、選択した情報記録媒体から、前記メニュー管理情報及び実体情報管理情報の内容を読み取る。そして、読み取った内容に基づいて、前記実体情報の記録領域に、前記符号化された実体情報を記録する。従って、ユーザーの有するビデオ映像を記録する場合でも、新たに管理情報から作成し直す必要がなく、当該ビデオ映像により一層適したメニュー構造を持つ情報記録媒体を効率良く作成することができる。
【００５４】
請求項２４記載の情報記録媒体を作成する方法は、前記課題を解決するために、既に画像情報又は音情報が記録された請求項１または２記載の情報記録媒体に、新たな画像情報又は音情報を記録して情報記録媒体を作成する方法であって、記録しようとする実体情報を符号化する工程と、既に画像情報又は音情報が記録された請求項１記載の情報記録媒体から、前記メニュー管理情報及び実体情報管理情報の内容を読み取る工程と、読み取った内容に基づいて、前記実体情報の記録領域に、前記符号化された実体情報を記録する工程とを備えたことを特徴とする。
【００５５】
請求項２４記載の情報記録媒体を作成する方法によれば、既に画像情報又は音情報が記録された請求項１または２記載の情報記録媒体から、前記メニュー管理情報及び実体情報管理情報の内容を読み取ると共に、記録しようとする実体情報を符号化する。そして、読み取った内容に基づいて、前記実体情報の記録領域に、前記符号化された実体情報を記録する。従って、ユーザーの有するビデオ映像を追加記録する場合でも、新たに管理情報から作成し直す必要がなく、当該ビデオ映像に適したメニュー構造を持つ情報記録媒体を効率良く作成することができる。
【００５６】
請求項２５記載の情報記録媒体を作成する方法は、前記課題を解決するために、既に画像情報又は音情報が記録された請求項３記載の情報記録媒体に、新たな画像情報又は音情報を記録して情報記録媒体を作成する方法であって、前記既に画像情報又は音情報が記録された請求項３記載の情報記録媒体における予備タイトル数と、予備論理単位数と、前記実体情報の記録領域の空き領域を読み取る工程と、タイトル毎の管理を行う為のシナリオ情報を、前記読み取った予備タイトル数及び予備論理単位数の範囲内で入力する工程と、前記シナリオ情報内の前記タイトルの構成情報から得られるタイトル数に基づいて、前記実体管理情報を管理する情報を当該タイトル数分記録するための記録領域を、新たなメニュー管理情報の記録領域として、前記予備タイトル数分の記録領域内に確保する工程と、前記タイトルの構成情報に含まれる前記論理単位数の情報に基づいて、前記実体情報の記録領域を管理する情報を当該論理単位数分記録するための記録領域を、新たな実体管理情報の記録領域として、前記予備論理単位数分の記録領域内に確保する工程と、前記実体情報の記録領域のサイズと数の情報と、前記論理単位数の情報とに基づいて、新たな実体情報の記録領域を前記記憶手段上に確保する工程と、前記実体管理情報の記録領域の確保後に、前記実体管理情報を管理する情報を、前記新たなメニュー管理情報の記録領域に記録する工程と、前記実体情報の記録領域を確保後に、前記実体情報の記録領域を管理する情報を前記新たな実体管理情報の記録領域に記録する工程と、記録しようとする実体情報を符号化する工程と、前記新たな実体情報の記録領域に、前記符号化された実体情報を記録する工程とを備えたことを特徴とする。
【００５７】
請求項２５記載の情報記録媒体を作成する方法によれば、既に画像情報又は音情報が記録された請求項３記載の情報記録媒体に、予備タイトル分の実体情報の記録と管理情報の記録を行うので、従って、ユーザーの有するビデオ映像を追加記録する場合でも、新たに管理情報から作成し直す必要がなく、当該ビデオ映像により一層適したメニュー構造を持つ情報記録媒体を効率良く作成することができる。
【００５８】
請求項２６記載の情報記録媒体の作成装置は、前記課題を解決するために、既に画像情報又は音情報が記録された請求項１または２記載の情報記録媒体に、新たな画像情報又は音情報を記録して情報記録媒体を作成する装置であって、記録しようとする実体情報を符号化する符号化手段と、既に画像情報又は音情報が記録された請求項１記載の情報記録媒体から、前記メニュー管理情報及び実体情報管理情報の内容を読み取る読取手段と、読み取った内容に基づいて、前記実体情報の記録領域に、前記符号化された実体情報を記録する記録手段とを備えたことを特徴とする。
【００５９】
請求項２６記載の情報記録媒体の作成装置によれば、請求項１または２記載の論理構造を有し、タイトル毎に管理可能に確保された記録領域を有する情報記録媒体であって、タイトル数と、タイトル毎の前記論理単位の数と、該論理単位の階層数と、該階層のパターンとの何れか一つが異なる情報記録媒体を、複数種類分用意する。次に、前記複数種類の情報記録媒体の中から、記録しようとする複数の実体情報間の相関関係に適合する論理構造パターンを備えた一つの情報記録媒体を選択する。次に、記録しようとする実体情報を符号化し、選択した情報記録媒体から、前記メニュー管理情報及び実体情報管理情報の内容を読み取る。そして、読み取った内容に基づいて、前記実体情報の記録領域に、前記符号化された実体情報を記録する。従って、ユーザーの有するビデオ映像を記録する場合でも、新たに管理情報から作成し直す必要がなく、当該ビデオ映像に適したメニュー構造を持つ情報記録媒体を効率良く作成することができる。
【００６０】
請求項２７記載の情報記録媒体の作成装置は、前記課題を解決するために、既に画像情報又は音情報が記録された請求項３記載の情報記録媒体に、新たな画像情報又は音情報を記録して情報記録媒体を作成する装置であって、前記既に画像情報又は音情報が記録された請求項３記載の情報記録媒体における予備タイトル数と、予備論理単位数と、前記実体情報の記録領域の空き領域を読み取る読取手段と、タイトル毎の管理を行う為のシナリオ情報を、前記読み取った予備タイトル数及び予備論理単位数の範囲内で入力する入力手段と、前記シナリオ情報内の前記タイトルの構成情報から得られるタイトル数に基づいて、前記実体管理情報を管理する情報を当該タイトル数分記録するための記録領域を、新たなメニュー管理情報の記録領域として、前記予備タイトル数分の記録領域内に確保し、又、前記タイトルの構成情報に含まれる前記論理単位数の情報に基づいて、前記実体情報の記録領域を管理する情報を当該論理単位数分記録するための記録領域を、新たな実体管理情報の記録領域として、前記予備論理単位数分の記録領域内に確保し、更に、前記実体情報の記録領域のサイズと数の情報と、前記論理単位数の情報とに基づいて、新たな実体情報の記録領域とする記録領域確保手段と、前記実体管理情報の記録領域の確保後に、前記実体管理情報を管理する情報を、前記新たなメニュー管理情報の記録領域に記録し、又、前記実体情報の記録領域を確保後に、前記実体情報の記録領域を管理する情報を前記新たな実体管理情報の記録領域に記録する記録手段と、記録しようとする実体情報を符号化する符号化手段と、前記新たな実体情報の記録領域に、前記符号化された実体情報を記録する記録手段とを備えたことを特徴とする。
【００６１】
請求項２７記載の情報記録媒体の作成装置によれば、請求項３記載の論理構造を有し、実体情報だけでなく、管理情報についても追加記録可能に確保された記録領域を有する情報記録媒体であって、タイトル数と、タイトル毎の前記論理単位の数と、該論理単位の階層数と、該階層のパターンとの何れか一つが異なる情報記録媒体を、複数種類分用意する。次に、前記複数種類の情報記録媒体の中から、記録しようとする複数の実体情報間の相関関係に適合する論理構造パターンを備えた一つの情報記録媒体を選択する。次に、記録しようとする実体情報を符号化する工程と、選択した情報記録媒体から、前記メニュー管理情報及び実体情報管理情報の内容を読み取る。そして、読み取った内容に基づいて、前記実体情報の記録領域に、前記符号化された実体情報を記録する。従って、ユーザーの有するビデオ映像を記録する場合でも、新たに管理情報から作成し直す必要がなく、当該ビデオ映像により一層適したメニュー構造を持つ情報記録媒体を効率良く作成することができる。
【００６２】
請求項２８記載の情報記録媒体は、前記課題を解決するために、コンピュータに、既に画像情報又は音情報が記録された請求項１または２記載の情報記録媒体へ、新たな画像情報又は音情報を記録させる情報記録媒体の作成プログラムが記録されたコンピュータ読み取り可能な情報記録媒体であって、前記コンピュータに、記録しようとする実体情報を符号化する工程と、既に画像情報又は音情報が記録された請求項１記載の情報記録媒体から、前記メニュー管理情報及び実体情報管理情報の内容を読み取る工程と、読み取った内容に基づいて、前記実体情報の記録領域に、前記符号化された実体情報を記録する工程とを実行させるプログラムが記録されたことを特徴とする。
【００６３】
請求項２８記載の情報記録媒体に記録されたプログラムをコンピュータに実行させることにより、請求項１または２記載の論理構造を有し、タイトル毎に管理可能に確保された記録領域を有する情報記録媒体であって、タイトル数と、タイトル毎の前記論理単位の数と、該論理単位の階層数と、該階層のパターンとの何れか一つが異なる情報記録媒体を、複数種類分用意する。次に、前記複数種類の情報記録媒体の中から、記録しようとする複数の実体情報間の相関関係に適合する論理構造パターンを備えた一つの情報記録媒体を選択する。次に、記録しようとする実体情報を符号化し、選択した情報記録媒体から、前記メニュー管理情報及び実体情報管理情報の内容を読み取る。そして、読み取った内容に基づいて、前記実体情報の記録領域に、前記符号化された実体情報を記録する。従って、ユーザーの有するビデオ映像を記録する場合でも、新たに管理情報から作成し直す必要がなく、当該ビデオ映像に適したメニュー構造を持つ情報記録媒体を効率良く作成することができる。
【００６４】
請求項２９記載の情報記録媒体は、前記課題を解決するために、コンピュータに、既に画像情報又は音情報が記録された請求項３記載の情報記録媒体へ、新たな画像情報又は音情報を記録させる情報記録媒体の作成プログラムが記録されたコンピュータ読み取り可能な情報記録媒体で法であって、前記コンピュータに、前記既に画像情報又は音情報が記録された請求項３記載の情報記録媒体における予備タイトル数と、予備論理単位数と、前記実体情報の記録領域の空き領域を読み取る工程と、タイトル毎の管理を行う為のシナリオ情報を、前記読み取った予備タイトル数及び予備論理単位数の範囲内で入力する工程と、前記シナリオ情報内の前記タイトルの構成情報から得られるタイトル数に基づいて、前記実体管理情報を管理する情報を当該タイトル数分記録するための記録領域を、新たなメニュー管理情報の記録領域として、前記予備タイトル数分の記録領域内に確保する工程と、前記タイトルの構成情報に含まれる前記論理単位数の情報に基づいて、前記実体情報の記録領域を管理する情報を当該論理単位数分記録するための記録領域を、新たな実体管理情報の記録領域として、前記予備論理単位数分の記録領域内に確保する工程と、前記実体情報の記録領域のサイズと数の情報と、前記論理単位数の情報とに基づいて、新たな実体情報の記録領域を前記記憶手段上に確保する工程と、前記実体管理情報の記録領域の確保後に、前記実体管理情報を管理する情報を、前記新たなメニュー管理情報の記録領域に記録する工程と、前記実体情報の記録領域を確保後に、前記実体情報の記録領域を管理する情報を前記新たな実体管理情報の記録領域に記録する工程と、記録しようとする実体情報を符号化する工程と、前記新たな実体情報の記録領域に、前記符号化された実体情報を記録する工程とを実行させるプログラムが記録されたことを特徴とする。
【００６５】
請求項２９記載の情報記録媒体のプログラムをコンピュータに実行させることにより、請求項３記載の論理構造を有し、実体情報だけでなく、管理情報についても追加記録可能に確保された記録領域を有する情報記録媒体であって、タイトル数と、タイトル毎の前記論理単位の数と、該論理単位の階層数と、該階層のパターンとの何れか一つが異なる情報記録媒体を、複数種類分用意する。次に、前記複数種類の情報記録媒体の中から、記録しようとする複数の実体情報間の相関関係に適合する論理構造パターンを備えた一つの情報記録媒体を選択する。次に、記録しようとする実体情報を符号化する工程と、選択した情報記録媒体から、前記メニュー管理情報及び実体情報管理情報の内容を読み取る。そして、読み取った内容に基づいて、前記実体情報の記録領域に、前記符号化された実体情報を記録する。従って、ユーザーの有するビデオ映像を記録する場合でも、新たに管理情報から作成し直す必要がなく、当該ビデオ映像により一層適したメニュー構造を持つ情報記録媒体を効率良く作成することができる。
【００６６】
【発明の実施の形態】
以下、本発明の実施の形態を添付図面に基づいて説明する。
【００６７】
（第１の実施形態）
まず、本発明の第１の実施形態を図１ないし図８、及び図２１ないし図２６に基づいて説明する。本実施形態は、予めメニュー情報及び該メニュー情報に対応した管理情報が記録され、且つ画像情報等の実体情報の記録領域が確保されたＤＶＤ（Digiatl Video Disc）等のマルチメディア光ディスクの作成方法及び装置、並びにビデオテープに記録した画像情報または音声情報を、当該マルチメディア光ディスクに記録し、画像情報または音声情報をコンテンツとして再生可能なマルチメディア光ディスクを作成する方法及び装置に本発明を適用した実施形態である。
【００６８】
以下、前記各方法及び装置について説明するが、まず、これらの説明を行う前に、前記ＤＶＤ等のマルチメディア光ディスクにおける論理フォーマットについて説明する。なお、以下の説明において、「映像情報」とは、画像情報と音声情報の両方を含む概念であり、画像情報のみの場合と、画像情報と音声情報の両方が存在する場合がある。
【００６９】
［マルチメディア光ディスクの論理フォーマット］
最初に、ＤＶＤ等のマルチメディア光ディスクにおける映画等のコンテンツの管理単位について説明する。本実施形態では、マルチメディア光ディスクに記録する映画等のコンテンツの単位をタイトルと称する。例えば、コンテンツが映画のときには、１タイトルに１本の映画を割り当てる。従って、３つのタイトルを記録するマルチメディア光ディスクには、３本の映画を記録することになる。
【００７０】
また、タイトルの上位概念として、映像情報を共有する複数のタイトルから構成されるタイトルセットがある。例えば、同じ映画で、ノーカット版、劇場公開版、及びテレビ版と、映像情報の多くを互いに共有する３つのバージョンがあった場合、これらをまとめて一つのタイトルセットと称する。
【００７１】
本実施形態のマルチメディア光ディスクは、複数のタイトルセットを記録することができる。例えば、映画Ａと映画Ｂと映画Ｃとのそれぞれについて、劇場版及びノーカット版を記録する場合は、それぞれ２つのタイトルから構成される３つのタイトルセットが記録されることになる。
【００７２】
個々のタイトルはシーンとシーンの再生経路情報とから構成される。シーンは、映像情報、即ち画像情報と音声情報とを含んでいる。なお、本明細書内で使用する「音声情報」とは、本来の人間の音声だけでなく、音声以外の音、または音楽等の音の情報を含むものである。
【００７３】
シーンの再生経路情報には、分岐の有る再生経路情報を含み、分岐のない連続再生の再生経路情報を本実施形態では、プログラムチェーン（ＰＧＣ）情報と称する。これらプログラムチェーン情報は互いに接続され、全体でタイトルセットの再生経路情報を構成する。
【００７４】
次に、マルチメディア光ディスクの論理フォーマットを説明する。なお、図２１ないし図２６においては、本発明の実現のために必要な情報について主に記述しており、他の部分は省略している。
【００７５】
図２１は、情報記録媒体としてのマルチメディア光ディスクに記録される記録情報のデータ構造を示す図である。記録情報５０１は、ディスク情報ファイル５０２と複数のビデオファイル５０３とから構成される。ディスク情報ファイル５０２には、マルチメディア光ディスク全体の情報であるボリューム情報が含まれる。また、ディスク情報ファイル５０２には、マルチメディア光ディスクの再生開始時にユーザがタイトルセットを選択するためのメニュー管理情報も含まれる。
【００７６】
ビデオファイル５０３は、個々のタイトルセットを含んでいる。ビデオファイル５０３は、実体管理情報としてのビデオファイル管理情報５０４と、実体情報としてのビデオファイルデータ５０５とから構成される。ビデオファイルデータ５０５には、タイトルセットを構成する全てのシーンの映像情報、及び副映像情報を含んでいる。ビデオファイル管理情報５０４は、ビデオファイル管理テーブル５０６と、タイトル管理情報５０７と、タイトル内プログラムチェーン情報テーブル５０８と、メニュー内プログラムチェーン管理情報５０９とから構成される。ビデオファイル管理テーブル５０６には、ビデオファイル５０３へのヘッダ情報が含まれる。タイトル管理情報５０７は、このタイトルセットを構成する複数のタイトルを管理する情報が含まれる。タイトル内プログラムチェーン情報テーブル５０８には、タイトルセット内のタイトル内の全てのプログラムチェーン情報を定義する情報が含まれる。メニュー内プログラムチェーン情報テーブル５０９は、タイトルセット内のメニュー内の全てのプログラムチェーン情報を定義する情報が含まれる。
【００７７】
図２２は、ビデオファイル管理テーブル５０６の構成を示す図である。ビデオファイル管理テーブル５０６は、タイトル管理情報５０７へのポインタ６０１と、タイトル内プログラムチェーン情報テーブル５０８へのポインタ６０２と、メニュー内プログラムチェーン情報テーブル５０９へのポインタ６０３と、メニュー用映像属性テーブル６０４と、メニュー用副映像属性テーブル６０５と、タイトル用映像属性テーブル６０６と、タイトル副映像属性テーブル６０７等とから構成される。
【００７８】
メニュー用映像属性テーブル６０４には、メニュー内で使用される画像ストリームまたは音声ストリームの数、及び画像ストリームまたは音声ストリームの属性が含まれる。メニュー用副映像属性テーブル６０５には、メニュー内で使用される副映像ストリームの数及び副映像ストリームの属性が含まれる。タイトル用映像属性テーブル６０６には、タイトル内で使用される画像ストリームまたは音声ストリームの数、及び画像ストリームまたは音声ストリームの属性が含まれる。タイトル用副映像属性テーブル６０７には、タイトル内で使用される副映像ストリームの数及び副映像ストリームの属性が含まれる。
【００７９】
それぞれのストリーム数及び属性についての情報は、ビデオファイルデータ５０５の作成前に、予め設定可能な情報である。
【００８０】
図２３は、タイトル管理情報５０７の構成を示す図である。タイトル管理情報５０７は、ビデオファイルデータ５０５中に含まれるタイトルを高速に検索するためのタイトル検索ポインタ７０１のテーブルである。タイトル検索ポインタ７０１は、プログラムチェーン（ＰＧＣ）情報の番号であるＰＧＣ番号７０２と、プログラムチェーンを構成するプログラム（ＰＧ）の番号であるＰＧ番号７０３とが含まれる。
【００８１】
タイトル検索ポインタ７０１の数は、後述するチャプターの数によって決定され、チャプターの数は、ビデオファイルデータ５０５を作成する前に予め設定可能である。また、各タイトルに、どの番号のＰＧＣを割り当てるか、また、いくつのＰＰＧＣを割り当てるかについても、予め設定可能である。更に、各チャプターに何番のＰＧを割り当てるか、また、いくつのＰＧを割り当てるかについても、予め設定可能である。
【００８２】
図２４は、タイトル用のプログラムチェーン情報テーブル５０８のデータ構造を示す図である。プログラムチェーン情報テーブル５０８は、タイトルセット内の全てのプログラムチェーン（ＰＧＣ）情報８０１をそれぞれ定義するプログラムチェーン情報８０１の複数のエントリから構成される。それぞれのプログラムチェーン情報８０１は、格納プログラム数８０３と、ＰＧＣ再生時間８０４と、直接アクセス情報テーブル８０５と、格納セル数８０６と、セル再生情報テーブル８０７とを備えている。
【００８３】
格納プログラム数８０３には、一つのプログラムチェーン情報８０１で管理されるプログラムの数の情報が含まれる。また、ＰＧＣ再生時間８０４には、一つのプログラムチェーン情報８０１の再生に要する時間の情報が含まれる。直接アクセス情報テーブル８０５には、セルの先頭のプログラム番号が含まれる。格納セル数８０６には、一つのプログラムを構成するセルの数の情報がプログラム数分含まれる。後述する符号化処理、多重化処理、及び記憶処理は、このセルを処理区切りとして、セル毎に行われる。
【００８４】
セル再生情報テーブル８０７は、一つ以上の格納セル情報８０８のエントリから構成される。格納セル情報８０８は、プログラム数分設けられている。また、セル再生情報テーブル８０７における格納セル情報８０８の格納順序は、セルの再生順序に従っている。
【００８５】
更に、格納セル情報８０８は、それぞれ再生すべきセルに対し、セル属性情報８０９と、セル再生時間８１０と、ビデオファイルデータ５０５に格納されるセルデータの光ディスク上の記録位置を示すオフセット８１１と、セルデータが占める論理ブロック数８１２とを含んでいる。
【００８６】
セル属性情報８０９は、セルブロックモード８１３とセルブロックタイプ８１４とを含んでいる。セルブロックモード８１３は、該セルがマルチアングルブロックを構成するか否か、またマルチアングルブロックを構成する場合、ブロックの先頭か、終端か、あるいはそれ以外かの情報を含んでいる。またセルブロックタイプ８１４は、該セルがマルチアングルブロック中に含まれるか否かの情報を含んでいる。
【００８７】
図２５は、メニュー用プログラムチェーン情報テーブルのデータ構造を示す図である。マルチメディア光ディスクは、複数の言語に対応したメニューを持つ場合が多く、そのため各言語用のプログラムチェーン情報９０１がメニュー言語ユニット９０２というまとまりとしてメニュー用プログラムチェーン情報テーブル５０９に記録されている。ＰＧＣ情報９０１については、図２４に示したタイトル用プログラム情報テーブル５０８内に含まれるタイトル用のＰＧＣ情報８０１と同様な構成となっている。
【００８８】
図２６は、ビデオファイルデータ５０５のデータ構造を示す図である。ビデオファイルデータ５０５は、複数のシステムストリームから構成される。本実施形態ではこのシステムストリームをセル１００１と称する。セル１００１は２ＫＢのブロックを１パックとし、動画情報（ビデオ）１００２と、音声情報（オーディオ）１００３と、副映像１００４と、管理情報（管理パック）１００５とがインターリーブされた構成となっている。動画情報１００２はＧＯＰ（Group Of Pictures）と呼ばれるフレーム間動画データ圧縮の圧縮・伸長単位から構成される。ＧＯＰは、再生時に制御可能な最小単位である。このＧＯＰ単位に管理情報１００５は、ＧＯＰに先立って管理パックとしてインターリーブされる。管理パック１００５はＧＯＰをアクセスするためのサーチ用の情報であるが、ハイライト情報と称されるメニュー情報のための情報も記録される。なお、動画情報１００２のＧＯＰ単位は、フレームモードで１２〜１５ピクチャのデータ量であり、シンクヘッド１００６とＩ−ピクチャ（Intra-coded picture：イントラ符号化画像）１００７と複数のＢ−ピクチャ（Bidirectionally predictive-coded picture：両方向予測符号化画像）１００８とからなる。
【００８９】
以上が本実施形態の情報処理装置の処理対象となる、マルチメディア光ディスクに記録される記録情報５０１の論理フォーマットである。
【００９０】
［情報作成装置の概略構成］
次に、本実施形態における情報作成装置の概略構成を図１及び図２に基づいて説明する。
【００９１】
図１に示すように、本実施形態の情報作成装置は、パーソナルコンピュータ等からなる情報作成装置本体１と、ＣＲＴ等からなるディスプレイ２と、キーボード３及びマウス４と、ビデオテープを再生するビデオカセットレコーダ（以下、ＶＣＲとする）５と、記録手段として、ＤＶＤ等のマルチメディア光ディスクへの情報の記録を行うための光ディスク書込装置６とを備えている。
【００９２】
情報作成装置本体１は、本実施形態の情報作成装置の構成を示すブロック図である図２に示すように、ＣＰＵ１０と、ＢＩＯＳプログラム等が記録されたＲＯＭ１１と、データを一時的に格納するＲＡＭ１２と、情報作成装置における上述した各処理を実現するための各種のプログラムが記憶されると共に、ディスクイメージデータが記憶される記憶手段としてのハードディスク１３と、光ディスク書込装置６に対するインターフェースであるＳＣＳＩインターフェース１４と、ＶＣＲ５に対するインターフェースであるシリアルインターフェース１５と、映像情報の符号化を行うためのＭＰＥＧ２エンコーダ１６と、音声情報の符号化を行うためのＡＣ−３エンコーダ１７とを備えている。なお、図２においては、以上のような情報作成装置本体１の構成要素を点線で囲まれた領域内に示している。また、以上のような各構成要素、及び図１にも示したディスプレイ２、キーボード３、及びマウス４は、バス１８を介して接続されている。
【００９３】
なお、情報作成装置本体１は、上述したようにパーソナルコンピュータ等の一般的なコンピュータ装置から構成されている。しかし、図２においては、一般的なコンピュータ装置の構成要素のうち、本実施形態の説明上不要なものについては省略している。
【００９４】
図２に示した構成要素以外の構成要素としては、例えば、フロッピーディスクドライブ装置、あるいはＣＤ−ＲＯＭドライブ装置が挙げられる。本実施形態における情報作成装置における各処理のためのプログラムは、例えば情報記録媒体としてのＣＤ−ＲＯＭに記録されており、ＣＤ−ＲＯＭドライブ装置を用いて当該プログラムをハードディスク１３上にインストールすることにより、実行可能な状態となる。図２は、このようなプログラムとして、シナリオ情報入力プログラム２０、管理情報及び予約領域生成プログラム２１、実体情報生成プログラム２２、制御プログラム２３、及び出力プログラム２４がハードディスク１３にインストールされていることを示している。
【００９５】
また、ハードディスク１３は、ＤＶＤ等のマルチメディア光ディスクに記録する情報を、当該光ディスクに記録する前に記憶させておくための記憶手段として用いられる。図２は、ハードディスク１３上に、ディスク情報ファイル５０２、ビデオファイル管理情報５０４、及びビデオファイルデータ５０５が記録されていることを示している。
【００９６】
ＣＰＵ１０、ＲＯＭ１１、及びＲＡＭ１２については、一般的なコンピュータ装置に用いられるものと同様なので、詳しい説明は省略する。また、ディスプレイ２、キーボード３、及びマウス４についても一般的なコンピュータ装置に使用されるものと同様の構成なので詳しい説明は省略する。
【００９７】
本実施形態の情報処理装置本体１において一般的なコンピュータ装置に備えられていない構成要素としては、ＭＰＥＧ２エンコーダ１６とＡＣ−３エンコーダ１７が挙げられる。
【００９８】
ＭＰＥＧ２エンコーダ１６とＡＣ−３エンコーダ１７は、それぞれ、ＭＰＥＧ２規格に従った映像データの圧縮・符号化、及びＡＣ−３規格に従った音声データの圧縮・符号化を行うための手段である。これらのエンコーダは、情報処理装置本体１のバス１８に装着可能な拡張ボードとして実装され、それぞれＶＣＲ５との接続を図るためのビデオインターフェース及び光ディスク書込装置６との接続を図るためのオーディオインターフェースを備えている。
【００９９】
図１においては、１台のみのＶＣＲ５を情報作成装置本体１に接続した例を示しているが、本実施形態はこのような構成に限定されるものではなく、複数台のＶＣＲ５を情報作成装置本体１に接続することも可能である。そして、ＶＣＲ５の選択、あるいは選択されたＶＣＲ５におけるビデオテープの指定位置の頭出し、更には再生及び停止動作は、ＣＰＵ１０がハードディスク１３にインストールされた制御プログラムを実行することにより、シリアルインターフェース１５を介して制御信号をＶＣＲ５に出力することにより実現される。
【０１００】
光ディスク書込装置６は、一例として一回に限り追記が可能なＤＶＤ−Ｒ（DVD-Recordable）、何度でも書き換えが可能なＤＶＤ−ＲＷ（ＤVD-Rewritable）に対して書き込みを行う装置を用いる。つまり、本実施形態では、マルチメディア光ディスクとして、ＤＶＤ−ＲまたはＤＶＤ−ＲＷを用いる。但し、本発明の構成はこのような構成に限定されるものではなく、例えば光ディスク書込装置６の代わりに、デジタルテープ記録装置を用い、一旦デジタルテープに情報を記録した後、それを使ってのプレス加工等を経る等してマルチメディア光ディスクへの情報の記録を行うように構成しても良い。
【０１０１】
［情報記録媒体の作成処理］
次に、本実施形態の情報作成装置による情報記録媒体の作成処理を図３ないし図９に基づいて詳しく説明する。
【０１０２】
（１）シナリオテンプレート作成処理
シナリオ情報とは、マルチメディア光ディスクに記録するコンテンツの構成を指示するための情報である。このシナリオ情報は、本実施形態の情報作成装置におけるシナリオ情報入力手段によって入力される。シナリオ情報入力手段は、ハードディスク１３にインストールされたシナリオ情報入力プログラム２０のＣＰＵ１０による実行により実現される。まず、ＣＰＵ１０はシナリオ情報入力プログラム２０を実行することにより、ディスプレイ２上に入力フォームを表示させる。光ディスクの制作者がこの入力フォームにキーボード３またはマウス４を用いて必要な情報を入力すると、ＣＰＵ１０はこの入力された情報を読み取り、ＲＡＭ１２またはハードディスク１３に格納し、図３に示すようなシナリオ情報４００を作成する。
【０１０３】
図３は、シナリオ情報４００の一部を示す模式図であり、メニュー情報４０１とタイトルの構成情報としてのタイトル情報４０６が含まれる。シナリオ情報４００に含まれるその他の情報としては、マルチメディア光ディスクのタイプ、あるいは光ディスクの制作者に関する情報等が挙げられるが、本実施形態の説明においては必ずしも必要な事項ではないので、詳細な説明は省略する。
【０１０４】
メニュー情報４０１は、メニューの制限サイズ情報４０１と、背景情報４０３と、ボタンの数情報４０４と、ボタン情報４０５とを含んでいる。メニュー情報４０１とは、ＤＶＤ等のマルチメディア光ディスクの再生時に、例えばテレビ等の画面上に表示されるメニューに関する情報である。ユーザーがこのメニュー表示に基づいてタイトル等を指定することにより、所望のタイトル等を再生させることができる。
【０１０５】
メニューの制限サイズ情報４０２には、ＤＶＤ等のマルチメディア光ディスクの総記録容量の中で、以上のようなメニューを構成するためのデータが使用して良い容量の上限についての情報が含まれている。タイトルの画像情報や音声情報は図２１に示すようにビデオファイルデータ５０５として記録され、ビデオファイル管理情報５０４により管理されるが、このような構成はメニューについても同様である。つまり、メニューを構成するための画像情報または音声情報は、メニュー用のビデオファイルデータ５０５として記録され、このメニュー用のビデオファイルデータ５０５はメニュー用のビデオファイル管理情報５０４によって管理される。従って、メニューを構成するためには、このようなメニュー用のビデオファイル管理情報５０４を記録する領域と、メニュー用のビデオファイルデータ５０５を記録する領域が必要となる。そこで、シナリオ情報を光ディスクの制作者に入力させるための前記入力フォームには、これらの記録領域として割り当てるサイズの上限を入力させる欄を設け、ＣＰＵ１０はこの入力による情報に基づいて、メニューの制限サイズ情報４０２を作成する。
【０１０６】
背景情報４０３には、ボタンを表示させる際の背景になる画像の情報が含まれる。つまり、前記テレビ等に表示されるメニューは、背景になる画像上に、タイトル名等を伴ったボタンが表示されて構成されるもので、この背景になる画像は、メニュー作成用ツール等を用いて予め作成しておく。そして、この背景になる画像を指定するための情報を、シナリオ情報として入力させ、ＣＰＵ１０がこの入力による情報に基づいて、背景情報４０３を作成する。
【０１０７】
ボタンの数情報４０４には、メニューとして表示させるボタンの数の情報が含まれる。メニュー用のビデオファイルデータ５０５には、ボタンの表示データがボタンの数分記録され、メニュー用のビデオファイル管理情報５０４は、メニュー用のビデオファイルデータ５０５の表示データをボタンの数分管理する必要があるため、ボタンの数情報４０４は、メニュー用のビデオファイル管理情報５０４及びメニュー用のビデオファイルデータ５０５の生成のために用いられる。そこで、このボタンの数情報をシナリオ情報として入力させ、ＣＰＵ１０がこの入力による情報に基づいて、ボタンの数情報４０４を作成する。
【０１０８】
ボタン情報４０５には、ボタンの前記画面上における表示情報や、ボタンの選択によって行われる動作の指定等の再生制御に関する情報が含まれている。例えば、ボタンと、タイトル用のプログラムチェーン情報８０１とを対応付けるメニュー管理情報も、この再生制御に関する情報に含まれる。このメニュー管理情報には、例えば、ボタンに対応するプログラムチェーン情報８０１の番号が、当該プログラムチェーン情報８０１の選択情報として記録される。これらの情報は、メニュー作成用ツール等を用いて予め作成しておく。そして、これらの情報を、シナリオ情報として入力させ、ＣＰＵ１０がこの入力による情報に基づいて、ボタン情報４０３を作成する。
【０１０９】
次に、タイトル情報４０６には、タイトルの本数情報４０７と、タイトルの制限サイズ情報リスト４０８と、ビデオ映像選択情報リスト４０９と、ビデオ映像時間位置情報リスト４１０と、ビデオ映像時間長リスト４１１と、映像のエンコード方式情報リスト４１２と、映像のビットレートリスト４１３と、チャプター情報リスト４１４とが含まれる。なお、ここで、「映像」とは、画像と音声の両方を含む概念であり、「映像のエンコード方式」と言えば、画像のエンコード方式と音声のエンコード方式のいずれか一方、あるいは両方が含まれる。
【０１１０】
タイトルの本数情報４０７には、タイトルの本数、即ちＤＶＤ等のマルチメディア光ディスクに記録する連続した再生映像の本数が含まれている。この本数はユーザーが自由に設定できるもので、シナリオ情報として入力させ、ＣＰＵ１０はこの入力による情報に基づいて、タイトルの本数情報４０７を作成する。
【０１１１】
実体情報の最大サイズ情報を含むタイトルの制限サイズ情報リスト４０８には、ＤＶＤ等のマルチメディア光ディスクの総記録容量の中で、各タイトルを構成するためのデータが使用して良い容量の上限が含まれている。つまり、図２１に示す、１つのタイトルを構成するための画像情報または音声情報の素材群がビデオファイルデータ５０５の領域に記録され、このビデオファイルデータ５０５を管理するための情報がビデオファイル管理情報５０４の領域に記録されるので、タイトルを構成するためには、このようなビデオファイル管理情報５０４を記録する領域と、ビデオファイルデータ５０５を記録する領域が必要となる。そこで、前記入力フォームには、これらの記録領域として割り当てるサイズの上限を入力させる欄を設け、ＣＰＵ１０はこの入力による情報に基づいて、タイトルの制限サイズ情報リスト４０８を作成する。本実施形態においては、一例として、１つの光ディスクは１つのタイトルで構成され、１つのタイトルは１つのプログラムチェーン情報８０１で構成され、１つのプログラムは１つのセルで構成されるように設定するので、１つの光ディスクにおけるセルの総数と、各セルの記録領域として割り当てるサイズとを前記入力フォームにて入力させることで、このビデオファイルデータ５０５のサイズの上限を算出する。
【０１１２】
但し、本発明はこのような構成に限定されるものではなく、１つの光ディスクに対して複数のタイトルを記録するように構成しても良い。図３において、単にタイトルの制限サイズ情報ではなく、タイトルの制限サイズ情報リストとしているのはこのためであり、１つの光ディスクに複数のタイトルが記録される場合には、タイトルの制限サイズ情報は各タイトル毎に設定できる。
【０１１３】
ビデオ映像選択情報リスト４０９は、タイトルの再生映像に関する情報であり、エンコードの対象となる画像や音声の記録されたビデオ映像ソースを指定するための情報が含まれる。例えば、ビデオ映像ソースが複数本のビデオテープに納められている場合、ビデオテープにそれぞれＩＤ番号等の識別番号を付し、この識別番号によりビデオ映像ソースの指定を可能にする。そこで、この識別番号をシナリオ情報として入力させ、ＣＰＵ１０はこの入力による情報に基づいて、ビデオ映像選択情報リスト４０９を作成する。このビデオ映像選択情報も各タイトル毎に作成されリスト化される。但し、このビデオ映像選択情報は、光ディスクに実際に映像情報を記録する際に判明する情報であるから、本実施形態のように、最初に映像情報の記録されていない光ディスクを作成する際には、当該情報の入力は行わない。
【０１１４】
ビデオ映像時間位置情報リスト４１０及びビデオ映像時間長リスト４１１は、ビデオ映像ソースの任意の部分のエンコードを指定するための情報である。例えば、前記識別情報にて指定したビデオテープにおける先頭から１０分の位置を開始位置とし、先頭から３０分の位置を終了位置とするという場合、時間位置情報に１０分、時間長情報には２０分の情報を入力する。シナリオ情報としては、開始位置の時間と時間長を入力させ、ＣＰＵ１０はこの入力による情報に基づいて、ビデオ映像時間位置情報リスト４１０とビデオ映像時間長リスト４１１を作成する。このビデオ映像時間位置情報も各タイトル毎に作成されリスト化される。この情報についても、光ディスクに実際に映像情報を記録する際に判明する情報であるから、本実施形態のように、最初に映像情報の記録されていない光ディスクを作成する際には、当該情報の入力は行わない。
【０１１５】
実体情報の再生時間長の情報であるビデオ映像総時間長情報リスト４１１は、  各タイトル毎のビデオ映像の再生時間の合計を示す情報である。この情報は光ディスクの制作者が自由に設定することができる。シナリオ情報としてこの情報を入力させ、ＣＰＵ１０はこの入力による情報に基づいて、ビデオ映像総時間長情報リスト４１１を作成する。このビデオ映像総時間長情報も各タイトル毎に作成されリスト化される。
【０１１６】
符号化情報としての映像のエンコード方式情報リスト４１２は  映像のエンコード方式を指定するための情報である。例えば、画像のエンコード方式としては、画像比率、あるいはフレームレート等が含まれる。また、音声のエンコード方式としては、サンプリング周波数等が含まれる。これらの情報は光ディスクの制作者が自由に設定することができる。シナリオ情報としてこの情報を入力させ、ＣＰＵ１０はこの入力による情報に基づいて、映像のエンコード方式情報リスト４１２を作成する。この映像のエンコード方式情報も各タイトル毎に作成されリスト化される。
【０１１７】
もう一方の符号化情報としての映像のビットレートリスト４１３は  ＭＰＥＧ２またはＡＣ−３の規格によるエンコード時のビットレートを指定する情報である。この情報は光ディスクの制作者が自由に設定することができる。シナリオ情報としてこの情報を入力させ、ＣＰＵ１０はこの入力による情報に基づいて、映像のビットレートリスト４１３を作成する。この映像のビットレート情報も各タイトル毎に作成されリスト化される。
【０１１８】
チャプター情報リスト４１４は、タイトルを更に任意の再生区間に分割してチャプターとして取り扱うための情報であり、分割点の時間位置を含んでいる。この情報は光ディスクの制作者が自由に設定することができる。シナリオ情報としてこの分割点の時間位置情報を入力させ、ＣＰＵ１０はこの入力による情報に基づいて、チャプター情報リスト４１４を作成する。このチャプター情報も各タイトル毎に作成されリスト化される。
【０１１９】
以上に説明したメニュー情報４０１及びタイトル情報４０６とからなるシナリオ情報４００を、メニュー作成用ツールを使用して作成すると、情報作成装置のディスプレイ２には、例えば図４に示すようなシナリオテンプレートが表示される。図４に示す例では、「第〇×期〇△卒業アルバム」と名前が付けられたタイトルが、「先生」、「生徒」、及び「行事」と名前が付けられた３つのチャプターから構成される。そして、「先生」と名前が付けられたチャプターは、「職員一同」、「校長先生」、及び「学年の先生」と名前が付けられたプログラムから構成され、それぞれのプログラムには、セル１、セル２、及びセル３が割り当てられる。また、「生徒」と、名前が付けられたチャプターは、「３−１」、「３−２」、及び「３−３」と名前が付けられたプログラムから構成され、それぞれのプログラムには、セル４、セル５、及びセル６が割り当てられる。更に、「行事」と、名前が付けられたチャプターは、「体育祭」、「修学旅行」、「文化祭」、及び「キャンプ」と名前が付けられたプログラムから構成され、それぞれのプログラムには、セル７、セル８、セル９、及びセル１０が割り当てられる。
【０１２０】
メニュー作成用ツールにおいては、光ディスクの制作者は、このようにしてディスプレイ２に表示されるメニュー構造を確認しながら、対話形式でメニュー構造を作成できるようになっている。なお、図４において、チャプター及びプログラムの名前が表示された楕円形の部分が上述したボタンに対応し、ボタンの周囲の四角形の枠に囲まれた領域が上述した背景画像に対応する。図４に示すようなシナリオテンプレートの表示を行う際に、ボタン及び背景画像をそのまま表示するようにしても良いが、本発明はこのような構成に限定されるものではなく、シナリオテンプレートの表示を行う際には簡易な枠の表示のみを行うようにしても良い。
【０１２１】
また、本実施形態においては、このようなシナリオテンプレートの作成時には、図５に示すようなシナリオテンプレート情報を作成し、ＲＡＭ１２またはハードディスク１３に記憶させる。このシナリオテンプレート情報は、図５に示すように、「ディスクナンバー」、「セルの数」、「セルの番号」、「セルのオフセット」、「セルサイズ」、及び「属性」という各情報から構成されている。これらの情報は、殆どが上述したタイトルの制限サイズリスト４０８の作成に必要な情報をそのまま用いることができる。「ディスクナンバー」と「属性」については、上述した入力フォーム等を用いて光ディスクの制作者に入力させる。但し、「セルオフセット」については、次に説明するディスクイメージ生成処理を行った後でなければ判明しない情報なので、このディスクイメージ生成処理後に作成する。
【０１２２】
（２）ディスクイメージ生成処理
次に、以上のようなシナリオテンプレートを用いて、光ディスクに記録する情報をハードディスク１３上に再現するディスクイメージの生成処理について説明する。このディスクイメージは、本実施形態の情報作成装置における記憶領域確保手段及び情報記録手段によって生成される。記憶領域確保手段及び情報記録手段は、ハードディスク１３にインストールされたディスクイメージ生成プログラム２１のＣＰＵ１０による実行により実現される。
【０１２３】
（２−１）ディスク情報ファイル５０２の生成処理
まず、ＣＰＵ１０は前記シナリオテンプレートに基づいて、ディスク情報ファイル５０２を生成する。ディスク情報ファイル５０２は、図２１に示すように、ビデオファイル５０３と共に、光ディスクの記録情報５０１を形成するファイルであり、上述したように光ディスク全体の情報が含まれる。例えば、ボリューム情報、総タイトル数、総チャプター数、光ディスクのタイプ、記録情報の制作者の情報、国コードである。また、ディスク情報ファイル５０２には、上述したメニュー情報４０１も含まれる。
【０１２４】
ＣＰＵ１０は、ＲＡＭ１２またはハードディスク１３に記憶されたシナリオ情報４００のタイトル情報４０６に含まれるタイトルの本数情報４０７及びチャプター情報リスト４１４を読み取り、これらの情報に基づいて、光ディスク全体としての再生映像の構成をデータ化し、例えば総タイトル数及び総チャプター数を含むディスク情報ファイル５０２をハードディスク１３上に記憶させる。
【０１２５】
次に、ＣＰＵ１０は、ＲＡＭ１２またはハードディスク１３に記憶されたシナリオ情報４００のメニュー情報４０１に含まれる背景情報４０３と、ボタンの数情報４０４と、ボタン情報４０５とを読み取る。そして、背景情報４０３で指定された映像をハードディスク１３から読み取ると共に、ボタン情報４０５に含まれる表示情報を読み取り、前記背景情報４０３で指定された映像に、ボタン画像の表示情報を合成する。また、ボタン情報４０５の再生制御に関する情報から、ボタンとタイトルとを関連付け、ボタンの操作により任意のタイトルの任意の部分を再生できるように、メニューデータを構成する。そして、前記合成した背景情報及びボタンの表示情報と、メニューデータとをディスク情報ファイル５０２としてハードディスク１３に記憶させる。
【０１２６】
（２−２）ビデオファイル管理情報５０４の生成処理
ビデオファイル管理情報５０４は、ビデオファイルデータ５０５を管理するための情報であり、図２１に示すようにこれらの情報によって、ビデオファイル５０３が構成される。ビデオファイル管理情報５０４の内容には、上述したように、ビデオファイル５０３に記録されるセルのサイズあるいは記録位置等の情報が含まれる。本実施形態においては、上述したように、図５に示すシナリオテンプレート情報から、セルの総数が判明するので、ＣＰＵ１０は、図２４に示す、直接アクセス情報テーブル８０５、セル再生時間８１０、セルデータへのオフセット８１１、及びセルの占める論理ブロック数８１２の情報を除いて、タイトル用プログラムチェーン情報テーブル５０８を生成する。また、ビデオファイル管理テーブル５０６、タイトル管理情報５０７、及びメニュー用プログラムチェーン情報テーブル５０９についても生成して、ビデオファイル管理情報５０４を生成する。
【０１２７】
そして、ハードディスク１３上に形成されたディスク情報ファイル５０２の記憶領域に続けて、当該ビデオファイル管理情報５０４を記憶させる。
【０１２８】
（２−３）ビデオファイルデータ５０５の記録領域の確保処理
ビデオファイルデータ５０５は、上述したように、セルから構成され、動画情報（ビデオ）１００２、音声情報（オーディオ）１００３を符号化、多重化することによって生成する。しかし、本実施形態においては、まず、動画情報１００２及び音声情報１００３の記録されていない光ディスクを作成するため、この段階では、ビデオファイルデータ５０５の記録領域を確保処理を行うだけである。
【０１２９】
具体的には、上述したように、図５に示すシナリオテンプレート情報から、セルの総数とサイズが判明するので、ハードディスク１３のビデオファイル管理情報５０４の記録領域に続けて、セルの番号順に、セルのサイズ分の領域を確保する。これにより、各セルのオフセットが判明するので、図２４に示すタイトル用プログラムチェーン情報テーブルのオフセット８１１の領域に判明した値を書き込む。また、同時に、図５に示すシナリオテンプレート情報にも、当該オフセットの値を記憶させる。
【０１３０】
以上のような処理により、ハードディスク１３上には、光ディスクの論理フォーマットに従ったディスクイメージが図６に示すように生成される。図６のディスクイメージは、図４に示すシナリオテンプレートに対応させたものである。図６に示すように、この段階のディスクイメージにおいては、各ビデオファイルデータの記録領域には、実際の映像情報は記録されておらず、全て予約領域として映像情報の記録が可能な状態となっている。
【０１３１】
（３）ディスクイメージの出力及び記録処理
最後に、以上のように作成したディスクイメージを、記録手段としての光ディスク書込装置６へ出力し、当該光ディスク書込装置６により光ディスクに記録させる処理を行う。この出力処理は、本実施形態の情報作成装置における情報出力手段によって実行される。情報出力手段は、図２に示すハードディスク１３に印トールされた光ディスク作成プログラムをＣＰＵ１０に実行させることにより実現される。ＣＰＵ１０は、ハードディスク１３上に生成されたディスクイメージを、ＳＣＳＩインターフェース１４を介して光ディスク書込装置６に出力し、光ディスク書込装置６により前記データのマルチメディア光ディスク５２０への書き込みを行わせ、マルチメディア光ディスク５２０を完成させる。光ディスク書込装置６には、変調またはインターリーブ等の光ディスクの規格に従った情報の変換を行う変換手段が備えられており、光ディスク書込装置６は、前記ディスクイメージを変換しながら、光ビームの変調を行って、光ディスク上に情報の記録を行う。
【０１３２】
なお、情報の記録は、図示しないデジタルテープ記録装置等により、デジタルテープ等のマルチメディア光ディスクとは別の媒体に、前記データを記録した後に、プレス工程等経る等してＤＶＤ等のマルチメディア光ディスクへの記録を行うようにしても良い。
【０１３３】
以上のようにして、図４に示すようなシナリオテンプレートに従った管理情報を有し、映像情報の記録されていない光ディスクが作成される。本実施形態では、このような映像情報の記録されていない光ディスクを予め複数種類作成しておく。例えば、図４のように卒業アルバムに対応したシナリオテンプレートであっても、チャプターとして「クラブ活動」等を追加したり、プログラムとして「行事」のチャプターに「音楽祭」等を追加した異なるディスクを、例えばディスクナンバー２として作成する。また、同じ卒業アルバムでも、小学校、中学校、高校、あるいは大学のそれぞれに対応するような光ディスクを作成する。また、卒業アルバム以外の全く異なる属性の光ディスクを作成する。更に、それぞれの光ディスクについて、図５に示すようなシナリオテンプレート情報も併せて作成しておく。
【０１３４】
そして、ユーザーから、ビデオ映像の素材を光ディスクに記録してほしい旨の要望があった場合には、当該ユーザーの有するビデオ映像の素材の属性を判断し、この属性に最も適した光ディスクを、前記複数種類の光ディスクの中から選び、ビデオ映像の記録処理を行って、光ディスクを作成する。
【０１３５】
このような方法を採用することにより、ユーザーの有するビデオ映像の素材の属性に合わせて常にシナリオテンプレートの段階から作成していた従来に比べて、極めて短時間で効率良く、光ディスクを作成することができる。
【０１３６】
（４）ビデオ映像の記録処理
次に、ユーザーの有するビデオ映像の素材を、上述のような光ディスクに記録する処理について説明する。この記録処理は、本実施形態の情報作成装置における符号化手段、読取手段、及び記録手段により実行される。これらの手段は、図２に示すハードディスク１３にインストールされた実体情報生成プログラム２３をＣＰＵ１０に実行させることにより実現される。
【０１３７】
なお、この処理の段階では、各光ディスクを作成する際に作成した前記シナリオテンプレート、及びシナリオテンプレート情報は、情報作成装置のハードディスク１３に記憶されているものとする。
【０１３８】
以下、本実施形態のビデオ映像の記録処理を図７のフローチャートに基づいて説明する。
【０１３９】
まず、実体情報生成プログラム２３がＣＰＵ１０により実行されると、情報作成装置のディスプレイ２には、ディスクナンバーの入力を要求する表示が行われる。従って、光ディスクの制作者は、ユーザーの有するビデオ映像の属性に最も適した光ディスクを選択し、当該光ディスクのディスクナンバーをキーボード３またはマウス４を用いて入力する。これにより、ＣＰＵ１０は、当該ディスクナンバーに対応するシナリオテンプレート情報及びシナリオテンプレートを獲得する（ステップＳ１）。
【０１４０】
次に、ＣＰＵ１０は、図３に示すシナリオ情報４００における、ビデオ映像選択情報リスト４０９及びビデオ映像時間位置リスト４１０に相当する情報の入力を要求する表示をディスプレイ２上に行う。光ディスクの制作者は、この表示に応じて、前記シナリオテンプレートを確認しながら、使用するビデオテープの再生位置を確認し、キーボード３またはマウスを用いて前記情報の入力を行う。
【０１４１】
次に、ＣＰＵ１０は、入力された情報に基づいて再生動作を行わせる制御信号をシリアルインターフェース１５を介してＶＣＲ５に出力する。これにより、特定の位置及び長さのビデオ信号あるいは音声信号をＶＣＲ５から出力させる。
【０１４２】
なお、複数台のＶＣＲ５が備えられていた場合には、前記制御信号の出力に先立って、選択したビデオ映像ソースを再生可能なＶＣＲ５を選択する制御信号を、シリアルインターフェース１５を介して当該ＶＣＲ５に出力する。また、ＶＣＲ５が１台の場合には、前記制御信号の出力に先立って、ＶＣＲ５にビデオテープが装着されているか否かの確認をシリアルインターフェース１５を介して行うようにしても良い。当該ビデオテープが選択したビデオ映像ソースを記録したものであるか否かの確認は、例えばビデオ映像選択情報リスト４０９に含まれるビデオテープの識別情報をディスプレイ２に表示させることにより、ユーザーに確認させるか、あるいはビデオテープに識別情報を示すバーコードシールを貼り付け、このバーコードを、情報処理装置本体１に接続したバーコードリーダで読みとって確認するという構成にしても良い。
【０１４３】
次に、ＣＰＵ１０は、ＶＣＲ５から出力されるビデオ信号を、入力インターフェースを備えたＭＰＥＧ２エンコーダ１６に入力させる。また、ＣＰＵ１０は、ＶＣＲ５から出力される音声信号を、入力インターフェースを備えたＡＣ−３エンコーダ１７に入力させる。そして、ＣＰＵ１０は、タイトル情報４０６に含まれる映像のエンコード方式情報リスト４１２及び映像のビットレートリスト４１３を読み取り、これらの情報に基づいて、ＭＰＥＧ２エンコーダ１６またはＡＣ−３エンコーダ１７に対して、エンコード方式を指定する条件及びエンコードのビットレートを設定し、これらの条件でエンコードを実行させる。
【０１４４】
次に、ＣＰＵ１０は、エンコードされた画像または音声データを、同期した再生が可能となるように適切な間隔で配置し、図２６に示すようなシステムストリームを生成して、一旦ハードディスク１３に記憶させる。
【０１４５】
そして、ＣＰＵ１０は、この時のシステムストリーム（セル）のサイズが、図５に示すシナリオテンプレート情報として記憶したセルサイズを超えていないか否かを判断し（ステップＳ２）、超えている場合には、別の光ディスクを用いるようにディスプレイ２上に警告表示を行う。この表示が出された場合には、光ディスクの制作者は、より大きいセルサイズが確保された光ディスクを選択して、再びステップＳ１からの処理を行う。
【０１４６】
一方、セルサイズを超えていない場合には、ＣＰＵ１０は、セル番号をインクリメントして、その結果がシナリオテンプレート情報として記憶したセル数を超えたか否かの判断を行う（ステップＳ３）。超えていない場合には、次のセルについて、ステップＳ１からの処理を繰り返し行う。
【０１４７】
そして、全てのセルについてのシステムストリームの生成が行われた後は、ＣＰＵ１０は、光ディスク書込装置６にセットされた光ディスクのタイトル用プログラムチェーン情報テーブル５０８のセルデータへのオフセット８１１の領域に記録されたオフセットを読み取り、前記ハードディスク１３に記憶させたシステムストリームを、当該オフセットの示すセルの記録領域に記録する。また、この時、ビデオファイル管理情報５０３のプログラムチェーン情報８０１として、セルの再生時間８１０、及びシステムストリーム上のデータ長であるセルの占める論理ブロック数８１２、並びに直接アクセス情報テーブル８０５の書き込みを行う（ステップＳ５）。
【０１４８】
以上のようなオフセットの獲得から光ディスクへの書き込み処理を、全てのセルについて繰り返すことにより（ステップＳ６）、光ディスクの記録処理が終了する。
【０１４９】
ここで、前記記録処理を行うセルの順番は、光ディスクとしてＤＶＤ−Ｒのような１回に限り追記可能なディスクを用いる場合には、図８（Ａ）に示すように、セル１から順に記録を行う。このようにすれば、仮にセル３以降に記録すべきビデオ映像の素材が第１回目の記録時に揃わなかった場合でも、本実施形態における光ディスクには、セルの記録領域が確保されているので、新たに光ディスクを作成し直すことなく、第２回路の記録時に追加記録が可能である。
【０１５０】
また、光ディスクとしてＤＶＤ−ＲＷのような何回でも書き換えが可能なディスクを用いる場合には、図８（Ａ）に示す順序、また図８（Ｂ）に示す順序の何れでも構わない。例えば、図８（Ｂ）に示すように、第１回目の記録時においては、セル２とセル３に対する記録のみを行い、第２回目にセル１とセル４の記録を行うことができる。
【０１５１】
何れの場合も、本実施形態の光ディスクには、セルの記録領域が確保されているので、ビデオ映像の素材が一度に揃わなかった場合でも、光ディスクを作成し直すことなく、光ディスクの作成を行うことが可能である。
【０１５２】
（第２の実施形態）
次に、本発明の第２の実施形態を説明する。なお、第１の実施形態との共通箇所には同一符号を付して説明を省略する。
【０１５３】
本実施形態は、第１の実施形態で作成した複数種類の光ディスクを作成するのではなく、各光ディスク毎に作成したディスクイメージを、そのままハードディスク１３上に蓄積しておき、この中から、ユーザーの有するビデオ映像の属性に適合するディスクイメージを選択する。そして、ハードディスク１３上で、第１の実施形態と同様にセル及び管理情報等の書き込みを行い、全ての書き込みが終了した段階で、何も記録されていない光ディスクに記録を行う。
【０１５４】
本実施形態によれば、使用する光ディスクがＤＶＤ−Ｒのような１回に限り追記可能なディスクであっても、またＤＶＤ−ＲＷのような何回でも書き換えが可能なディスクであっても、セルの順番に拘わらず記録を行うことができる。つまり、ビデオ映像の素材が一度に揃わなかった場合には、任意の順序でディスクイメージ上でセルの書き込みを行い、全てのセルの書き込みが終了した段階で、光ディスクへの記録を行うようにすれば良い。
【０１５５】
（第３の実施形態）
次に、本発明の第３の実施形態を図９ないし図１１に基づいて説明する。なお、第１の実施形態との共通箇所には同一符号を付して説明を省略する。
【０１５６】
本実施形態は、セルへの追加書き込みだけでなく、メニュー情報及びビデオファイル管理情報の追加書き込みを行うものである。
【０１５７】
つまり、本実施形態においては、ビデオファイルデータ５０５にセルの記録領域を確保しておくだけでなく、タイトル、チャプター、あるいはプログラムのそれぞれについて、もしくは何れかについて、ディスク情報ファイル５０２の中のメニュー情報、ビデオファイル管理情報５０４、及びビデオファイルデータ５０５に予備の記録領域を確保しておき、後からの追記を可能とする。
【０１５８】
例えば、図９に示すように、「行事」と名前の付けられたチャプターについては、点線で囲まれた部分のプログラムに関する管理情報については、情報の記録を行わず、記録領域の確保のみを行う。
【０１５９】
図１０（Ａ）に示すように、タイトル用プログラムチェーン情報テーブル５０８の中の格納セル数８０６の領域には、各プログラムの構成セル数の情報が記録されている。図９の例では、「先生」と名前の付けられたチャプターは、「職員一同」と名前の付けられたプログラムと、「校長先生」と名前の付けられたプログラムと、「学年の先生」と名前の付けられたプログラムとから構成されており、それぞれのプログラムにおけるセル数は図１０（Ａ）に示すように１である。また、同様に、「生徒」と名前の付けられたチャプターにおける、「３−１」、「３−２」、及び「３−３」と名前の付けられた各プログラムのセル数は図１０（Ａ）に示すように１である。しかし、「行事」と名前の付けられたチャプターについては、図１０（Ａ）に示すように、４つのプログラム分の記録領域は確保されているが、その内容は全て０としておく。また、図１０（Ｂ）に示すように、それぞれのセルに対する情報は、セル再生情報テーブル８０７の格納セル情報８０８が記録されているが、「行事」と名前の付けられたチャプターにおける記録領域の確保されたプログラムに対するセルについては、格納セル情報８０８についても領域を確保するだけで、内容については何も記録しない。
【０１６０】
以上のような情報が記録された光ディスクを用いて、「行事」と名前の付けられたチャプターにビデオ映像の記録を行う場合には、まず、当該光ディスクの作成時に用いたシナリオテンプレートを、図１１に示すようなテンプレートデータテーブル５３０を用いてハードディスク１３から読み出す。つまり、本実施形態においては、図１１に示すように、各光ディスクの作成時に用いたシナリオテンプレートの番号と、各光ディスクのディスク番号とを、ハードディスク１３上に形成したテンプレートデータテーブル５３０に記憶しておく。そして、光ディスクの制作者が、記録を行う光ディスクのディスク番号を入力すると、ＣＰＵ１０は、テンプレートデータテーブル５３０からシナリオテンプレートの番号を読み取り、当該番号のシナリオテンプレートをハードディスク１３から読み取る。そして、このシナリオテンプレートをディスプレイ２に表示させる。
【０１６１】
この後は、第１の実施形態と同様に、シナリオ作成プログラムを用いて、「行事」と名前の付けられたチャプターについてのシナリオテンプレートを作成させる。但し、確保された記録領域を超える数のプログラムまたはセルを追加するような操作が行われた場合には、警告表示を出すようにする。また、既に作成された部分に変更を加えるような操作についても認めないようにする。
【０１６２】
以上のようにして、新しいシナリオテンプレートが作成されると、ＣＰＵ１０は、光ディスクからメニュー情報及びビデオファイル管理情報５０４を読み取って、ハードディスク１３上に展開する。そして、ＣＰＵ１０は、光ディスクの制作者の入力に従って、ＶＣＲ５に対して制御信号を出力し、ビデオ映像を入力して、ＭＰＥＧエンコーダ１６による符号化を行わせ、更に多重化してハードディスク１３に記録する。
【０１６３】
また、ボタン表示についても、新たに作成したシナリオテンプレートに適合するように作成した後、ハードディスク１３上のメニュー情報に記録する。
【０１６４】
以上のようにして、必要な情報のハードディスク１３上での記録が終了した後に、ＣＰＵ１０は、光ディスク書込装置６を介して光ディスクへの情報の書き込みを行う。
【０１６５】
その結果、セルへの追加書き込みだけでなく、メニュー情報及びビデオファイル管理情報の追加書き込みを行った光ディスクを作成することができ、より一層ユーザーの要求に沿った光ディスクを作成することができる。
【０１６６】
なお、本実施形態においては、プログラム及びセルを追加記録する例について説明したが、本発明はこのような構成に限定されるものではなく、タイトルや、チャプターを追加記録するようにしても良い。
【０１６７】
また、本実施形態では、予めビデオファイル管理情報等に記録領域を確保した光ディスクを複数種類作成する例について説明したが、本発明はこのような構成に限定されるものではなく、第２の実施形態のように、ハードディスク１３上に蓄積記憶させたディスクイメージにおいて、予めビデオファイル管理情報等に記録領域を確保しておくようにしても良い。
【０１６８】
（第４の実施形態）
次に、本発明の第４の実施形態を図１２ないし図１５に基づいて説明する。なお、第１の実施形態との共通箇所には同一符号を付して説明を省略する。
【０１６９】
上述した実施形態においては、複数種類作成し、ハードティスク１３上に蓄積記憶させたシナリオテンプレートを、ディスク番号で管理し、光ディスクの制作者が、記録に用いる光ディスクのディスク番号を読み取り、当該読み取ったディスク番号に基づいてハードディスク１３上のシナリオテンプレートを検索するという方法を用いた。
【０１７０】
しかしながら、この方法では、シナリオテンプレートの数が多大になった場合には、検索処理に非常に時間がかかり、また、何等かの原因で光ディスクとディスク番号との対応が不明になった場合には、検索処理が困難になってしまう。
【０１７１】
そこで、本実施形態においては、各シナリオテンプレートに属性を設定し、図１２に示すように、テンプレートデータテーブル５３０においては、各シナリオテンプレートのテンプレート番号と属性情報とを対にして管理するようにした。
【０１７２】
更に、図１４に示すように、ハードディスク１３上に日付情報変換テーブル５４０を設け、この日付情報変換テーブル５４０に、日付範囲情報と前記属性に対応する条件とからなるデータを多数記憶させておく。そして、これから映像情報の記録を行おうとする光ディスクを光ディスク書込装置６にセットして再生し、再生された映像信号に含まれる撮影日時を取得する。次に、その撮影日時に基づいて、前記日付情報変換テーブル５４０から前記条件を検索し、更に前記テンプレートデータテーブル５３０の中から、この条件に最も適合する属性情報を有するシナリオテンプレートを検索し、当該シナリオテンプレートを用いて映像情報の記録を行うようにした。
【０１７３】
以下、本実施形態におけるシナリオテンプレートの獲得処理を図１３及び図１５のフローチャートに基づいて説明する。
【０１７４】
まず、光ディスクの制作者は、光ディスク書込装置６に、第１の実施形態ないし第３の実施形態の方法により作成した光ディスクをセットし、キーボード３またはマウス４により、本実施形態におけるシナリオテンプレートの獲得処理の開始を指示する。
【０１７５】
これにより、ＣＰＵ１０は、光ディスク書込装置６に対して制御信号を出力し、前記光ディスクを再生させる。そして、図１５に示すように、再生された映像信号を入力し（ステップＳ２０）、この入力した映像信号から、撮影日時情報を抽出する（ステップＳ２１）。
【０１７６】
次に、日付情報変更テーブル５４０におけるデータ番号Ｘを１に設定する（ステップＳ２２）。そして、日付情報変更テーブル５４０からデータ番号Ｘが１のデータを取得する（ステップＳ２３）。
【０１７７】
次に、取得したデータの日付範囲を読み取り、この日付範囲に、前記抽出した撮影日時が該当するか否かを判定する（ステップＳ２４）。
【０１７８】
該当する場合には、取得したデータの条件名を読み取り、ハードディスク１３またはＲＡＭ１２上に形成した条件テーブルに書き込む（ステップＳ２５）。次に、この書き込み処理が終了した後、または前記判定の結果、該当しなかった場合には、日付情報変更テーブル５４０における全データの検索が終了したか否かを判定する（ステップＳ２６）。
【０１７９】
終了していない場合には、データ番号Ｘをインクリメントし（ステップＳ２７）、日付情報変更テーブル５４０から次のデータ番号Ｘのデータを取得して、上述した日付情報の比較及び条件の取得処理を繰り返す（ステップＳ２３〜Ｓ２５）。そして、日付情報変更テーブル５４０における全データの検索が終了したら、処理を終了する。
【０１８０】
以上のようにして、光ディスクの撮影日時情報に適合した「条件」が得られる。
【０１８１】
次に、ＣＰＵ１０は、図１３に示すように、前記条件テーブルから条件を入力し（ステップＳ１０）、テンプレートデータテーブル５３０におけるデータ番号Ｘを１に設定する（ステップＳ１１）。
【０１８２】
次に、テンプレートデータテーブル５３０から、データ番号Ｘが１のデータを取得し（ステップＳ１２）、前記入力した条件と、この取得したデータの属性情報とを比較する（ステップＳ１３）。
【０１８３】
その結果、一致しなかった場合には、テンプレートデータテーブル５３０の全てデータについて前記比較を終了したか否かを判定し（ステップＳ１４）、終了していない場合には、データ番号Ｘをインクリメントして（ステップＳ１５）、上述したデータの取得処理と比較処理を繰り返す（ステップＳ１２〜Ｓ１４）。
【０１８４】
そして、テンプレートデータテーブル５３０の全てデータについて前記比較が終了した場合には、条件テーブルから次の条件を入力し（ステップＳ１０）、上述した各処理を繰り返す（ステップＳ１１〜Ｓ１４）。
【０１８５】
以上のような処理を行って、条件と一致した属性情報があった場合には、その一致したデータのテンプレート番号を読み取り、当該テンプレート番号のシナリオテンプレートを獲得し、記録処理に用いる（ステップＳ１６）。
【０１８６】
以上説明したように、本実施形態によれば、シナリオテンプレートの数が多大な場合であっても、光ディスクに適合したシナリオテンプレートを迅速に検索することができ、光ディスクの作成処理の効率化を図ることができる。
【０１８７】
（第５の実施形態）
次に、本発明の第５の実施形態を図１６に基づいて説明する。なお、上述した実施形態との共通箇所には同一符号を付して説明を省略する。
【０１８８】
第４の実施形態においては、映像信号から撮影日時情報を抽出し、この抽出した撮影日時情報に基づいて属性情報を検索するための「条件」を選択する例について説明したが、本実施形態は、この「条件」の選択を映像信号の差分に基づいて選択する例である。以下、本実施形態の条件選択処理を図１６のフローチャートに基づいて説明する。
【０１８９】
まず、ＣＰＵ１０は、映像信号を１フレーム分入力する（ステップＳ３０）。次に、１つ前のフレーム画像があるか否かを判定する（ステップＳ３１）。判定の結果、１つ前のフレーム画像がない場合には、入力映像信号のフレームを１つ進め（ステップＳ３２）、再び映像信号を１フレーム分入力する（ステップＳ３０）。
【０１９０】
次に、１つ前のフレームの信号と最新に入力したフレームの信号との輝度値及び色差の差分を計算する（ステップＳ３３）。
【０１９１】
そして、前回求めた差分と今回求めた差分を加算する（ステップＳ３４）。
【０１９２】
次に、予め設定したフレーム数分の処理が終了したか否かを判定し（ステップＳ３５）、終了していない場合には、入力する映像信号のフレームを１つ進めて（ステップＳ３２）、以上の処理を繰り返す（ステップＳ３０〜Ｓ３５）。
【０１９３】
次に、予め設定したフレーム数分の処理が終了した場合には、前記加算の結果と、予め設定した数値との比較を行い（ステップＳ３６）、前記加算の結果が、予め設定した数値よりも大きい場合には、前記条件を「動きが激しい」とする（ステップＳ３７）。一方、前記加算の結果が、予め設定した数値よりも小さい場合には、前記条件を「動きが緩やか」とする（ステップＳ３８）。
【０１９４】
以上のようにして求めた条件に基づいて、図１３のフローチャートに従い、シナリオテンプレートの検索を行う。
【０１９５】
本実施形態によれば、図１４に示すような条件検索用のテーブルを予め設けることなくシナリオテンプレートの検索を迅速に行うことができる。
【０１９６】
（第６の実施形態）
次に、本発明の第６の実施形態を図１７及び図１８に基づいて説明する。なお、上述した実施形態との共通箇所には同一符号を付して説明を省略する。
【０１９７】
第４の実施形態においては、映像信号から撮影日時情報を抽出し、この抽出した撮影日時情報に基づいて属性情報を検索するための「条件」を選択する例について説明したが、本実施形態は、この「条件」の選択を映像信号に含まれる緯度・経度情報に基づいて選択する例である。つまり、本実施形態においては、図１７に示すように、緯度範囲情報と経度範囲情報に条件を対応させて位置情報変換テーブル５５０を予め作成しておき、映像信号に含まれる緯度・経度情報に基づいて、当該位置情報変換テーブル５５０からの条件の選択を行うものである。以下、本実施形態の条件選択処理を図１８のフローチャートに基づいて説明する。
【０１９８】
以下、本実施形態におけるシナリオテンプレートの獲得処理を図１３及び図１５のフローチャートに基づいて説明する。
【０１９９】
まず、光ディスクの制作者は、光ディスク書込装置６に、第１の実施形態ないし第３の実施形態の方法により作成した光ディスクをセットし、キーボード３またはマウス４により、本実施形態におけるシナリオテンプレートの獲得処理の開始を指示する。
【０２００】
これにより、ＣＰＵ１０は、光ディスク書込装置６に対して制御信号を出力し、前記光ディスクを再生させる。そして、図１８に示すように、再生された映像信号を入力し（ステップＳ４０）、この入力した映像信号から、緯度・経度情報を抽出する（ステップＳ４１）。
【０２０１】
次に、位置情報変換テーブル５５００におけるデータ番号Ｘを１に設定する（ステップＳ４２）。そして、位置情報変換テーブル５５０からデータ番号Ｘが１のデータを取得する（ステップＳ４３）。
【０２０２】
次に、取得したデータの緯度・経度範囲を読み取り、この範囲に、前記抽出した緯度・経度情報が該当するか否かを判定する（ステップＳ４４）。
【０２０３】
該当する場合には、取得したデータの条件名を読み取り、ハードディスク１３またはＲＡＭ１２上に形成した条件テーブルに書き込む（ステップＳ４５）。次に、この書き込み処理が終了した後、または前記判定の結果、該当しなかった場合には、位置情報変換テーブル５５０における全データの検索が終了したか否かを判定する（ステップＳ４６）。
【０２０４】
終了していない場合には、データ番号Ｘをインクリメントし（ステップＳ４７）、位置情報変更テーブル５５０から次のデータ番号Ｘのデータを取得して、上述した位置情報の比較及び条件の取得処理を繰り返す（ステップＳ４３〜Ｓ４５）。そして、位置情報変更テーブル５５０における全データの検索が終了したら、処理を終了する。
【０２０５】
以上のようにして、光ディスクの緯度・経度情報に適合した「条件」が得られる。
【０２０６】
次に、ＣＰＵ１０は、前記条件テーブルから条件を入力し図１３に示すような処理により、シナリオテンプレートを検索し、このシナリオテンプレートを用いて情報の記録を行う。
【０２０７】
以上説明したように、本実施形態によれば、シナリオテンプレートの数が多大な場合であっても、光ディスクに適合したシナリオテンプレートを迅速に検索することができ、光ディスクの作成処理の効率化を図ることができる。
【０２０８】
（第７の実施形態）
次に、本発明の第７の実施形態を図１９及び図２０に基づいて説明する。なお、上述した実施形態との共通箇所には同一符号を付して説明を省略する。
【０２０９】
本実施形態は、シナリオテンプレートの表示画像において、ボタン画像の背景となる背景画像を複数種類ハードディスク１３に蓄積記憶させておき、これらの背景画像と属性情報とを対応させた図１９に示すような背景画像データテーブル５６０をハードディスク１３上に作成しておく。そして、図１４及び図１５、または図１６、または図１７及び図１８を用いて説明した方法で、各種の条件を選択し、この条件に一致する属性情報を有する背景画像を検索するものである。以下、図２０を用いて本実施形態における背景画像を検索処理について説明するが、図１４及び図１５、または図１６、または図１７及び図１８を用いて説明した条件の選択方法については、前記と同様なので、説明を省略する。
【０２１０】
まず、光ディスクの制作者は、光ディスク書込装置６に、第１の実施形態ないし第３の実施形態の方法により作成した光ディスクをセットし、上述した何れかの方法により、シナリオテンプレートを選択しておく。次に、光ディスクの制作者は、キーボード３またはマウス４により、本実施形態における背景画像の検索処理の開始を指示する。
【０２１１】
これにより、ＣＰＵ１０は、図１４及び図１５、または図１６、または図１７及び図１８を用いて説明した条件の選択方法の何れかを実行した際に作成した前記条件テーブルから条件を入力し（ステップＳ５０）、背景画像データテーブル５６０におけるデータ番号Ｘを１に設定する（ステップＳ５１）。
【０２１２】
次に、背景画像データテーブル５６０から、データ番号Ｘが１のデータを取得し（ステップＳ５２）、前記入力した条件と、この取得したデータの属性情報とを比較する（ステップＳ５３）。
【０２１３】
その結果、一致しなかった場合には、背景画像データテーブル５６０の全てデータについて前記比較を終了したか否かを判定し（ステップＳ５４）、終了していない場合には、データ番号Ｘをインクリメントして（ステップＳ５５）、上述したデータの取得処理と比較処理を繰り返す（ステップＳ５２〜Ｓ５４）。
【０２１４】
そして、背景画像データテーブル５６０の全てデータについて前記比較が終了した場合には、条件テーブルから次の条件を入力し（ステップ５０）、上述した各処理を繰り返す（ステップＳ５１〜Ｓ５４）。
【０２１５】
以上のような処理を行って、条件と一致した属性情報があった場合には、その一致した背景画像のファイル名を読み取り、当該ファイル名の背景画像を、シナリオテンプレートの背景画像として配置する（ステップＳ５６）。そして、シナリオテンプレートの全てのボタン画像の背景に背景画像を配置したか否かを判定し（ステップＳ５７）、終了していない場合には、配置処理を繰り返し（ステップＳ５６）、終了した場合には全体の処理を終了する。
【０２１６】
以上説明したように、本実施形態によれば、背景画像及びシナリオテンプレートの数が多大な場合であっても、光ディスク及びシナリオテンプレートに適合した背景画像を迅速に検索することができ、光ディスクの作成処理の効率化を図ることができる。
【０２１７】
なお、上述したシナリオテンプレートの獲得処理、あるいは背景画像の獲得処理においては、ユーザーの用意したビデオ映像に関する個人情報を、ユーザー自身にキーボード３またはマウス４を用いて入力させ、この個人情報を条件としても良い。
【０２１８】
なお、本発明は、ＤＶＤに限らず、あらゆる種類のマルチメディア光ディスクに適用が可能である。また、所謂オーサリング装置に適用できるだけでなく、例えば家庭用のマルチメディア光ディスク記録再生装置等にも適用可能である。
【０２１９】
【発明の効果】
以上説明したように、請求項１記載の情報記録媒体によれぱ、予め定められた範囲内であれば、前記記録領域に、実体情報の追加記録を行った場合であっても、当該追加記録した実体情報は、前記メニュー管理情報及び実体管理情報により、タイトル毎に管理されることになるので、前記メニュー管理情報及び実体管理情報を最初から作り直す手間を省き、実体情報の記録された情報記録媒体の作成処理の効率化を図ることができる。
【０２２０】
請求項２記載の情報記録媒体によれば、実体情報の追加記録が行われた場合でも、当該実体情報は、前記選択情報に基づいてタイトル毎に管理されることになるので、前記メニュー管理情報及び実体管理情報を最初から作り直す手間を省き、実体情報の記録された情報記録媒体の作成処理の効率化を図ることができる。
【０２２１】
請求項３に記載の情報記録媒体によれば、予備タイトル数に対応して確保された実体管理情報の記録領域に、予め定められたサイズを備え、予め定められた数の前記実体情報の記録領域が、予備論理単位数分の論理単位毎に管理する情報を記録する為の記録領域として確保されているので、実体情報だけでなく、管理情報の追加記録も可能であり、このような追加記録を行った場合でも、実体情報をタイトル毎に管理でき、前記メニュー管理情報及び実体管理情報を最初から作り直す手間を省いて実体情報の記録された情報記録媒体の作成処理の効率化を図ることができる。
【０２２２】
請求項４記載の情報記録媒体を作成するための情報の作成方法によれば、前記確保された記録領域に、実体情報を追加記録することにより、前記記憶手段上において情報記録媒体と同じ情報記録状態を作り出すことができ、情報記録媒体の種類によらず情報の追加記録を可能とする。
【０２２３】
請求項５記載の情報記録媒体を作成するための情報の作成方法によれば、実体情報の追加記録が行われた場合でも、当該実体情報は、前記選択情報に基づいてタイトル毎に管理されることになる。従って、前記メニュー管理情報及び実体管理情報を最初から作り直す手間を省き、実体情報の記録された情報記録媒体の作成処理の効率化を図ることができる。
【０２２４】
請求項６記載の情報記録媒体を作成するための情報の作成方法によれば、予備タイトル数分の実体情報の記録領域に、実体情報の追加記録を行うことができるだけでなく、これに対応する管理情報についても追加記録を行うことができるので、管理情報について変更を加える場合でも、効率の良い処理を行うことができる。
【０２２５】
請求項７記載の情報記録媒体を作成するための情報の作成装置によれば、予め定められた範囲内であれば、前記記録領域に、実体情報の追加記録を行った場合であっても、当該追加記録した実体情報は、前記メニュー管理情報及び実体管理情報により、タイトル毎に管理されることになる。従って、前記実体情報の追加記録を行う場合でも、前記メニュー管理情報及び実体管理情報を最初から作り直す手間を省き、実体情報の記録された情報記録媒体の作成処理の効率化を図ることができる。
【０２２６】
請求項８記載の情報記録媒体を作成するための情報の作成装置によれば、実体情報の追加記録が行われた場合でも、当該実体情報は、前記選択情報に基づいてタイトル毎に管理されることになるので、前記メニュー管理情報及び実体管理情報を最初から作り直す手間を省き、実体情報の記録された情報記録媒体の作成処理の効率化を図ることができる。
【０２２７】
請求項９記載の情報記録媒体を作成するための情報の作成装置によれば、予備タイトル数に対応して確保された実体管理情報の記録領域に、予め定められたサイズを備え、予め定められた数の前記実体情報の記録領域が、予備論理単位数分の論理単位毎に管理する情報を記録する為の記録領域として確保されているので、実体情報だけでなく、管理情報の追加記録も可能であり、このような追加記録を行った場合でも、実体情報をタイトル毎に管理でき、前記メニュー管理情報及び実体管理情報を最初から作り直す手間を省いて実体情報の記録された情報記録媒体の作成処理の効率化を図ることができる。
【０２２８】
請求項１０記載の情報記録媒体に記録されたプログラムをコンピュータに実行させることにより、予め定められた範囲内であれば、前記記録領域に、実体情報の追加記録を行った場合であっても、当該追加記録した実体情報は、前記メニュー管理情報及び実体管理情報により、タイトル毎に管理されることになるので、前記メニュー管理情報及び実体管理情報を最初から作り直す手間を省き、実体情報の記録された情報記録媒体の作成処理の効率化を図ることができる。
【０２２９】
請求項１１記載の情報記録媒体に記録されたプログラムをコンピュータに実行させることにより、実体情報の追加記録が行われた場合でも、当該実体情報は、前記選択情報に基づいてタイトル毎に管理されることになるので、前記メニュー管理情報及び実体管理情報を最初から作り直す手間を省き、実体情報の記録された情報記録媒体の作成処理の効率化を図ることができる。
【０２３０】
請求項１２記載の情報記録媒体に記録されたプログラムをコンピュータに実行させることにより、予備タイトル数に対応して確保された実体管理情報の記録領域に、予め定められたサイズを備え、予め定められた数の前記実体情報の記録領域が、予備論理単位数分の論理単位毎に管理する情報を記録する為の記録領域として確保されているので、実体情報だけでなく、管理情報の追加記録も可能であり、このような追加記録を行った場合でも、実体情報をタイトル毎に管理でき、前記メニュー管理情報及び実体管理情報を最初から作り直す手間を省いて実体情報の記録された情報記録媒体の作成処理の効率化を図ることができる。
【０２３１】
請求項１３記載の情報記録媒体の作成方法によれば、請求項４記載の情報の作成方法により前記確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３２】
請求項１４記載の情報記録媒体の作成方法によれば、請求項５記載の情報の作成方法により、前記選択情報に基づいてタイトル毎に管理可能に確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３３】
請求項１５記載の情報記録媒体の作成方法によれば、請求項６記載の情報の作成方法により、実体情報だけでなく、管理情報についても追加記録可能な状態で確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３４】
請求項１６記載の情報記録媒体の作成装置によれば、請求項７記載の情報の作成装置により前記確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３５】
請求項１７記載の情報記録媒体の作成方法によれば、請求項８記載の情報の作成装置により、前記選択情報に基づいてタイトル毎に管理可能に確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３６】
請求項１８記載の情報記録媒体の作成方法によれば、請求項９記載の情報の作成方法により、実体情報だけでなく、管理情報についても追加記録可能な状態で確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３７】
請求項１９記載の情報記録媒体に記録されたプログラムをコンピュータに実行させることにより、請求項４記載の情報の作成方法のように前記確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３８】
請求項２０記載の情報記録媒体に記録されたプログラムをコンピュータに実行させることにより、請求項５記載の情報の作成方法のように前記選択情報に基づいてタイトル毎に管理可能に確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２３９】
請求項２１記載の情報記録媒体に記録されたプログラムをコンピュータに実行させると、請求項６記載の情報の作成方法のように実体情報だけでなく、管理情報についても追加記録可能な状態で確保された記録領域に、実体情報を追加記録することにより、前記記憶手段上において情報記録媒体と同じ情報記録状態を作り出すことができ、更に記憶手段上に記録された情報を出力し、所定の形式に変換し、変換された情報に基づいて光ビームを変調して情報記録媒体上に情報の記録を行うので、情報記録媒体の種類によらず情報の追加記録を行うことができる。
【０２４０】
請求項２２記載の情報記録媒体を作成する方法によれば、ユーザーの有するビデオ映像を記録する場合でも、新たに管理情報から作成し直す必要がなく、当該ビデオ映像に適したメニュー構造を持つ情報記録媒体を効率良く作成することができる。
【０２４１】
請求項２３記載の情報記録媒体を作成する方法によれば、ユーザーの有するビデオ映像を記録する場合でも、新たに管理情報から作成し直す必要がなく、当該ビデオ映像により一層適したメニュー構造を持つ情報記録媒体を効率良く作成することができる。
【０２４２】
請求項２４記載の情報記録媒体を作成する方法によれば、ユーザーの有するビデオ映像を追加記録する場合でも、新たに管理情報から作成し直す必要がなく、当該ビデオ映像に適したメニュー構造を持つ情報記録媒体を効率良く作成することができる。
【０２４３】
請求項２５記載の情報記録媒体を作成する方法によれば、ユーザーの有するビデオ映像を追加記録する場合でも、新たに管理情報から作成し直す必要がなく、当該ビデオ映像により一層適したメニュー構造を持つ情報記録媒体を効率良く作成することができる。
【０２４４】
請求項２６記載の情報記録媒体の作成装置によれば、ユーザーの有するビデオ映像を記録する場合でも、新たに管理情報から作成し直す必要がなく、当該ビデオ映像に適したメニュー構造を持つ情報記録媒体を効率良く作成することができる。
【０２４５】
請求項２７記載の情報記録媒体の作成装置によれば、ユーザーの有するビデオ映像を記録する場合でも、新たに管理情報から作成し直す必要がなく、当該ビデオ映像により一層適したメニュー構造を持つ情報記録媒体を効率良く作成することができる。
【０２４６】
請求項２８記載の情報記録媒体に記録されたプログラムをコンピュータに実行させることにより、ユーザーの有するビデオ映像を記録する場合でも、新たに管理情報から作成し直す必要がなく、当該ビデオ映像に適したメニュー構造を持つ情報記録媒体を効率良く作成することができる。
【０２４７】
請求項２９記載の情報記録媒体のプログラムをコンピュータに実行させることにより、ユーザーの有するビデオ映像を記録する場合でも、新たに管理情報から作成し直す必要がなく、当該ビデオ映像により一層適したメニュー構造を持つ情報記録媒体を効率良く作成することができる。
【図面の簡単な説明】
【図１】本発明の第１の実施形態における情報作成装置の正面図である。
【図２】図１の情報作成装置の概略構成を示すブロック図である。
【図３】図１の情報作成装置において作成されるシナリオ情報の構成を示す図である。
【図４】図１の情報作成装置において作成されるシナリオテンプレートを示す図である。
【図５】図１の情報作成装置において作成されるシナリオテンプレート情報を示す図である。
【図６】図１の情報作成装置においてハードディスク上に作成される情報の構造を示す図である。
【図７】図１の情報作成装置におけるハードディスク上への情報書込処理を示すフローチャートである。
【図８】図１の情報作成装置においてマルチメディア光ディスク上に作成される情報の配置構造を示す図であり、（Ａ）は一回のみ追記可能なマルチメディア光ディスク及び何回でも書き換え可能なマルチメディア光ディスクに適用される配置構造、（Ｂ）は何回でも書き換え可能なマルチメディア光ディスクに適用される配置構造を示す図である。
【図９】本発明の第３の実施形態におけるシナリオテンプレートの構成を示す図である。
【図１０】本発明の第３の実施形態において作成される管理情報の内容を示す図であり、（Ａ）は格納セル情報の内容、（Ｂ）はセル再生情報テーブルの内容を示す図である。
【図１１】本発明の第３の実施形態の処理において参照されるテンプレートデータテーブルの構成を示す図である。
【図１２】本発明の第４の実施形態の処理において参照されるテンプレートデータテーブルの構成を示す図である。
【図１３】本発明の第４の実施形態におけるシナリオテンプレート獲得処理を示すフローチャートである。
【図１４】本発明の第４の実施形態の処理において参照される日付情報変換テーブルの構成を示す図である。
【図１５】本発明の第４の実施形態における条件検索処理を示すフローチャートである。
【図１６】本発明の第５の実施形態における条件検索処理を示すフローチャートである。
【図１７】本発明の第６の実施形態の処理において参照される位置情報変換テーブルの構成を示す図である。
【図１８】本発明の第６の実施形態における条件検索処理を示すフローチャートである。
【図１９】本発明の第７の実施形態の処理において参照される背景画像データテーブルの構成を示す図である。
【図２０】本発明の第６の実施形態における背景画像獲得処理を示すフローチャートであ。
【図２１】本発明の実施形態におけるマルチメディア光ディスクの論理フォーマットを示す図である。
【図２２】図２１の論理フォーマットをビデオファイル管理テーブルについて更に詳細に示す図である。
【図２３】図２１の論理フォーマットをタイトル管理情報について更に詳細に示す図である。
【図２４】図２１の論理フォーマットをタイトル用プログラムチェーン情報テーブルについて更に詳細に示す図である。
【図２５】図２１の論理フォーマットをメニュー用プログラムチェーン情報テーブルについて更に詳細に示す図である。
【図２６】図２１の論理フォーマットをビデオファイルデータついて更に詳細に示す図である。
【符号の説明】
１…情報作成装置本体
２…ディスプレイ
３…キーボード
４…マウス
５…ビデオカセットレコーダ
６…光ディスク書込装置
１０…ＣＰＵ
１１…ＲＯＭ
１２…ＲＡＭ
１３…ハードディスク
１４…ＳＣＳＩインターフェース
１５…シリアルインターフェース
１６…ＭＰＥＧ２エンコーダ
１７…ＡＣ−３エンコーダ
４００…シナリオ情報
４０６…タイトル情報
４０８…タイトの制限サイズリスト
４１０…ビデオ映像時間位置リスト
４１１…ビデオ映像時間長リスト
４１２…映像のエンコード方式リスト
４１３…映像のビットレートリスト
４１４…チャプター情報リスト
５０２…ディスク情報ファイル
５０４…ビデオファイル管理情報
５０５…ビデオファイルデータ
５２０…マルチメディア光ディスク
８１０…セル再生時間
８１１…セルデータへのオフセット
８１２…セルの占める論理ブロック数
１００１…セル
【図１】
0003570286.tif 000002
【図２】
0003570286.tif 000003
【図３】
0003570286.tif 000004
【図４】
0003570286.tif 000005
【図５】
0003570286.tif 000006
【図６】
0003570286.tif 000007
【図７】
0003570286.tif 000008
【図８】
0003570286.tif 000009
【図９】
0003570286.tif 000010
【図１０】
0003570286.tif 000011
【図１１】
0003570286.tif 000012
【図１２】
0003570286.tif 000013
【図１３】
0003570286.tif 000014
【図１４】
0003570286.tif 000015
【図１５】
0003570286.tif 000016
【図１６】
0003570286.tif 000017
【図１７】
0003570286.tif 000018
【図１８】
0003570286.tif 000019
【図１９】
0003570286.tif 000020
【図２０】
0003570286.tif 000021
【図２１】
0003570286.tif 000022
【図２２】
0003570286.tif 000023
【図２３】
0003570286.tif 000024
【図２４】
0003570286.tif 000025
【図２５】
0003570286.tif 000026
【図２６】
0003570286.tif 000027